(57)【特許請求の範囲】
【請求項１】
空気調和機を制御する制御方法であって、
前記空気調和機の運転モードを変更するか否かを選択可能な第１インターフェースを含んだ第１画像をユーザの端末装置に表示させ、前記運転モードは、第１モードと前記第１モードに相反する第２モードとを含み、
前記ユーザが前記運転モードを変更すると選択したことを示す第１情報を前記端末装置から受信した場合は、第２画像を前記端末装置に表示させ、前記第２画像は、（ｉ）前記空気調和機の購入時点の前記第１モードにおける性能の範囲を示す第１範囲と、（ｉｉ）前記第１範囲に含まれた、前記空気調和機の現在の前記第１モードにおける性能の範囲を示す第２範囲と、（ｉｉｉ）前記空気調和機の購入時点の前記第２モードにおける性能の範囲を示す第３範囲と、（ｉｖ）前記第３範囲に含まれた、前記空気調和機の現在の前記第２モードにおける性能の範囲を示す第４範囲と、を示し、前記第１範囲の大きさと前記第２範囲の大きさとの関係は、前記空気調和機の購入時から現在までの前記空気調和機の性能の劣化に対応し、前記第３範囲の大きさと前記第４範囲の大きさとの関係は、前記空気調和機の購入時から現在までの前記空気調和機の性能の劣化に対応し、前記第２画像は、前記第２範囲上及び前記第４範囲上のいずれか一点を選択可能な第２インターフェースを含み、
前記ユーザが前記第２インターフェースによって選択した一点に対応する第２情報を前記端末装置から受信し、前記第２情報は、前記運転モード及び前記運転モードにおける性能を示し、
前記運転モード及び前記運転モードにおける性能で前記空気調和機を制御させるコマンドを、前記空気調和機に送信する、
制御方法。
【請求項２】
前記第１モードはハイパワーモードを示し、
前記第２モードは省パワーモードを示す、
請求項１記載の制御方法。
【請求項３】
さらに、
前記空気調和機から前記空気調和機の電源がオンになったことを示す第３情報を受信し、
前回に前記運転モードが変更された時点から前記第３情報を受信した時点までの経過時間が所定期間を超えているか否かを判断し、
前記経過時間が前記所定期間を超えていると判断した場合に、前記第１画像を前記端末装置に表示させる、
請求項１記載の制御方法。
【請求項４】
前記第２画像は、さらに、前記第２インターフェースによって選択される前の運転モード及び前記第２インターフェースによって選択される前の運転モードにおける性能を示す、
請求項１記載の制御方法。
【請求項５】
前記第２画像は、棒状であり、
前記第２画像の一端と他端との間の第１基準点から前記一端までは前記第１範囲に対応し、前記第１基準点から前記他端までは前記第３範囲に対応し、前記第１基準点から前記第１範囲内の第２基準点までは前記第２範囲に対応し、前記第１基準点から前記第３範囲内の第３基準点までは前記第４範囲に対応し、
前記第２インターフェースは、前記第２基準点から前記第３基準点までの間を前記ユーザによってスライド可能である、
請求項１記載の制御方法。
【請求項６】
前記第２画像は、円弧状であり、
前記第２画像の一端と他端との間の第１基準点から前記一端までは前記第１範囲に対応し、前記第１基準点から前記他端までは前記第３範囲に対応し、前記第１基準点から前記第１範囲内の第２基準点までは前記第２範囲に対応し、前記第１基準点から前記第３範囲内の第３基準点までは前記第４範囲に対応し、
前記第２インターフェースは、前記第２基準点から前記第３基準点までの間を前記ユーザによってスライド可能である、
請求項１記載の制御方法。
【請求項７】
前記第２画像は、０を中心に左右対称に並べられた複数の数字を含み、
前記複数の数字のうち、前記０から左端までの数字は順に１ずつ増加し、前記０から右端までの数字は順に１ずつ増加し、
前記０から前記左端までの数字は前記第１範囲に対応し、前記左端より前記０側に並べられた第１数字から前記０までの数字は前記第２範囲に対応し、前記０から前記右端までの数字は前記第３範囲に対応し、前記右端より前記０側に並べられた第２数字から前記０までの数字は前記第４範囲に対応し、
前記第２インターフェースは、前記第１数字から前記第２数字までの間の数字を前記ユーザによって選択可能である、
請求項１記載の制御方法。
【請求項８】
さらに、
前記第２範囲の各点と前記空気調和機を動作させるためのパラメータセットとの対応関係及び前記第４範囲の各点と前記空気調和機を動作させるためのパラメータセットとの対応関係を示した第４情報を取得し、
前記第２情報及び前記第４情報に基づいて、前記空気調和機を動作させるためのパラメータセットを選択し、
前記コマンドは、前記選択されたパラメータセットで前記空気調和機を動作させるためのコマンドを含む、
請求項１記載の制御方法。
【請求項９】
前記空気調和機は、圧縮機とファンモータとを備え、
前記パラメータセットは、前記圧縮機の目標回転数と、前記ファンモータの目標回転数とを含む、
請求項８記載の制御方法。
【請求項１０】
空気調和機の運転モードの選択を受け付ける端末装置であって、
プロセッサと、
モニタと、
通信部とを備え、
前記プロセッサは、
前記空気調和機の運転モードを変更するか否かを選択可能な第１インターフェースを含んだ第１画像を前記モニタに表示し、前記運転モードは、第１モードと前記第１モードに相反する第２モードとを含み、
前記ユーザが前記運転モードを変更すると選択した場合は、第２画像を前記モニタに表示し、前記第２画像は、（ｉ）前記空気調和機の購入時点の前記第１モードにおける性能の範囲を示す第１範囲と、（ｉｉ）前記第１範囲に含まれた、前記空気調和機の現在の前記第１モードにおける性能の範囲を示す第２範囲と、（ｉｉｉ）前記空気調和機の購入時点の前記第２モードにおける性能の範囲を示す第３範囲と、（ｉｖ）前記第３範囲に含まれた、前記空気調和機の現在の前記第２モードにおける性能の範囲を示す第４範囲と、を示し、前記第１範囲の大きさと前記第２範囲の大きさとの関係は、前記空気調和機の購入時から現在までの前記空気調和機の性能の劣化に対応し、前記第３範囲の大きさと前記第４範囲の大きさとの関係は、前記空気調和機の購入時から現在までの前記空気調和機の性能の劣化に対応し、前記第２画像は、前記第２範囲上及び前記第４範囲上のいずれか一点を選択可能な第２インターフェースを含み、
前記通信部は、
前記ユーザが前記第２インターフェースによって選択した一点に対応する情報を送信し、前記情報は、前記運転モード及び前記運転モードにおける性能を示す、
端末装置。
【請求項１１】
空気調和機と、前記空気調和機の運転モードの選択を受け付ける端末装置と、前記端末装置によって受け付けられた前記運転モードに応じて前記空気調和機の運転を制御するための制御パラメータを決定し、決定した前記制御パラメータに応じて前記空気調和機の運転を制御する運転制御装置とを備える運転制御システムであって、
前記運転制御装置は、
プロセッサと、
通信部とを備え、
前記プロセッサは、
前記空気調和機の運転モードを変更するか否かを選択可能な第１インターフェースを含んだ第１画像をユーザの端末装置に表示させ、前記運転モードは、第１モードと前記第１モードに相反する第２モードとを含み、
前記ユーザが前記運転モードを変更すると選択したことを示す第１情報を前記端末装置から受信した場合は、第２画像を前記端末装置に表示させ、前記第２画像は、（ｉ）前記空気調和機の購入時点の前記第１モードにおける性能の範囲を示す第１範囲と、（ｉｉ）前記第１範囲に含まれた、前記空気調和機の現在の前記第１モードにおける性能の範囲を示す第２範囲と、（ｉｉｉ）前記空気調和機の購入時点の前記第２モードにおける性能の範囲を示す第３範囲と、（ｉｖ）前記第３範囲に含まれた、前記空気調和機の現在の前記第２モードにおける性能の範囲を示す第４範囲と、を示し、前記第１範囲の大きさと前記第２範囲の大きさとの関係は、前記空気調和機の購入時から現在までの前記空気調和機の性能の劣化に対応し、前記第３範囲の大きさと前記第４範囲の大きさとの関係は、前記空気調和機の購入時から現在までの前記空気調和機の性能の劣化に対応し、前記第２画像は、前記第２範囲上及び前記第４範囲上のいずれか一点を選択可能な第２インターフェースを含み、
前記通信部は、
前記ユーザが前記第２インターフェースによって選択した一点に対応する第２情報を前記端末装置から受信し、前記第２情報は、前記運転モード及び前記運転モードにおける性能を示し、
前記運転モード及び前記運転モードにおける性能で前記空気調和機を制御させるコマンドを、前記空気調和機に送信し、
前記端末装置は、
プロセッサと、
モニタと、
通信部とを備え、
前記プロセッサは、
前記第１画像を前記モニタに表示し、
前記ユーザが前記運転モードを変更すると選択した場合は、前記第２画像を前記モニタに表示し、
前記通信部は、
前記第２情報を前記運転制御装置へ送信し、
前記空気調和機は、
プロセッサと、
通信部とを備え、
前記通信部は、
前記運転制御装置によって送信された前記コマンドを受信し、
前記プロセッサは、
前記コマンドに応じて前記空気調和機を運転する、
運転制御システム。
【発明の詳細な説明】
【技術分野】
【０００１】
本発明は、空気調和機の制御方法、端末装置及び運転制御システムに関するものである。
【背景技術】
【０００２】
従来、空気調和機の性能は、使用頻度、使用状態及び使用年数などの様々な要因により低下する。例えば、空気調和機の経年変化に従い、配管からの冷媒の微小な漏れにより冷房能力又は暖房能力が低下したり、ファンモータなどの部品の劣化により風量が不足したり、それらの要因により空気調和機の消費電力が増加したりするおそれがある。
【０００３】
例えば、特許文献１における監視システムでは、空気調和装置の冷凍能力の時間に対する冷凍能力変化率が異常値を越えているか否かによって、空気調和装置の故障原因が経年劣化であるか否かを判定している。
【先行技術文献】
【特許文献】
【０００４】
【特許文献１】国際公開第２０１４／０６４７９２号
【発明の概要】
【発明が解決しようとする課題】
【０００５】
しかしながら、特許文献１における従来の監視システムでは、空気調和装置の故障原因が経年劣化であるか否かを判定することができるが、経年劣化時に空気調和装置の性能がどの程度劣化しているかについては確認することができない。
【０００６】
本開示は、上記の問題を解決するためになされたもので、空気調和機の劣化後の性能に応じて選択可能な運転モードの範囲をユーザに提示することができる空気調和機の制御方法、端末装置及び運転制御システムを提供することを目的とするものである。
【課題を解決するための手段】
【０００７】
本開示の一態様に係る画像表示方法は、ユーザが段階的に選択可能な空気調和機の運転モードの選択を受け付け、受け付けた前記運転モードに応じて前記空気調和機の運転を制御するための制御パラメータを決定し、決定した前記制御パラメータに応じて前記空気調和機の運転を制御する運転制御システムにおける画像表示方法であって、前記制御パラメータの変更可能な範囲内で変動する前記空気調和機の劣化後の性能の範囲を算出し、算出された前記性能の範囲を、前記運転モードの劣化後選択範囲に変換し、変換された前記運転モードの前記劣化後選択範囲を示す運転モード選択画像を表示する。
【発明の効果】
【０００８】
本開示によれば、空気調和機の劣化後の性能の範囲が運転モードの劣化後選択範囲に変換され、変換された運転モードの劣化後選択範囲を示す運転モード選択画像が表示されるので、空気調和機の劣化後の性能に応じて選択可能な運転モードの範囲をユーザに提示することができるとともに、劣化後の運転モードの選択範囲内で空気調和機を運転することができる。
【図面の簡単な説明】
【０００９】
【図１】本開示の実施の形態１における運転制御システムの構成の一例を示す図である。
【図２】本開示の実施の形態１における制御パラメータ変更支援装置の構成を示す図である。
【図３】本開示の実施の形態１における空気調和機の構成の一例を示す図である。
【図４】本開示の実施の形態１における端末装置の構成の一例を示す図である。
【図５】空気調和機からデータを収集するデータ収集処理について説明するためのフローチャートである。
【図６】記憶部に記憶される動作状態、制御パラメータ及び性能の一例を示す図である。
【図７】本開示の実施の形態１における制御パラメータ変更処理について説明するためのフローチャートである。
【図８】メニュー画像の一例を示す図である。
【図９】図７のステップＳ１０５における性能範囲算出処理について説明するためのフローチャートである。
【図１０】本開示の実施の形態１において、購入当初の性能の範囲と劣化後の性能の範囲とを示す図である。
【図１１】本開示の実施の形態１における制御パラメータについて説明するための図である。
【図１２】変更前の制御パラメータ及び性能の第１の組合せと、変更後の制御パラメータ及び性能の第２の組合せとの一例を示す図である。
【図１３】本実施の形態１において、購入当初に表示される運転モード選択画像の一例を示す図である。
【図１４】本実施の形態１において、劣化後に表示される運転モード選択画像の一例を示す図である。
【図１５】運転モード変更通知画像の一例を示す図である。
【図１６】本実施の形態１の第１の変形例における制御パラメータ変更処理について説明するための第１のフローチャートである。
【図１７】本実施の形態１の第１の変形例における制御パラメータ変更処理について説明するための第２のフローチャートである。
【図１８】劣化通知画像の一例を示す図である。
【図１９】本実施の形態１の第２の変形例における制御パラメータ変更処理について説明するための第１のフローチャートである。
【図２０】本実施の形態１の第２の変形例における制御パラメータ変更処理について説明するための第２のフローチャートである。
【図２１】時間経過通知画像の一例を示す図である。
【図２２】本実施の形態１の第３の変形例において、購入当初に表示される運転モード選択画像の一例を示す図である。
【図２３】本実施の形態１の第３の変形例において、劣化後に表示される運転モード選択画像の一例を示す図である。
【図２４】本実施の形態１の第４の変形例において、購入当初に表示される運転モード選択画像の一例を示す図である。
【図２５】本実施の形態１の第４の変形例において、劣化後に表示される運転モード選択画像の一例を示す図である。
【図２６】本実施の形態１の第５の変形例において、購入当初に表示される運転モード選択画像の一例を示す図である。
【図２７】本実施の形態１の第５の変形例において、劣化後に表示される運転モード選択画像の一例を示す図である。
【図２８】本開示の実施の形態２における制御パラメータ変更支援装置の構成を示す図である。
【図２９】本開示の実施の形態２における制御パラメータ変更処理について説明するためのフローチャートである。
【図３０】図２９のステップＳ４０５における性能範囲算出処理について説明するためのフローチャートである。
【図３１】端末装置に表示される試運転確認画像の一例を示す図である。
【図３２】本実施の形態２の第１の変形例における制御パラメータ変更処理について説明するためのフローチャートである。
【図３３】本実施の形態２の第２の変形例における制御パラメータ変更処理について説明するためのフローチャートである。
【発明を実施するための形態】
【００１０】
以下、本開示の基礎となった知見について説明する。
【００１１】
上記のように、従来の監視システムでは、空気調和装置の故障原因が経年劣化であるか否かを判定することができるが、経年劣化時に空気調和装置の性能がどの程度劣化しているかに付いては確認することができない。
【００１２】
上記のような課題を解決するため、本開示の一態様に係る空気調和機の制御方法は、空気調和機を制御する制御方法であって、前記空気調和機の運転モードを変更するか否かを選択可能な第１インターフェースを含んだ第１画像をユーザの端末装置に表示させ、前記運転モードは、第１モードと前記第１モードに相反する第２モードとを含み、前記ユーザが前記運転モードを変更すると選択したことを示す第１情報を前記端末装置から受信した場合は、第２画像を前記端末装置に表示させ、前記第２画像は、（ｉ）前記空気調和機の購入時点の前記第１モードに対する強弱程度の範囲を示す第１範囲と、（ｉｉ）前記第１範囲に含まれた、前記空気調和機の現在の前記第１モードに対する強弱程度の範囲を示す第２範囲と、（ｉｉｉ）前記空気調和機の購入時点の前記第２モードに対する強弱程度の範囲を示す第３範囲と、（ｉｖ）前記第３範囲に含まれた、前記空気調和機の現在の前記第２モードに対する強弱程度の範囲を示す第４範囲と、を示し、前記第１範囲の大きさと前記第２範囲の大きさとの関係は、前記空気調和機の購入時から現在までの前記空気調和機の性能の劣化に対応し、前記第３範囲の大きさと前記第４範囲の大きさとの関係は、前記空気調和機の購入時から現在までの前記空気調和機の性能の劣化に対応し、前記第２画像は、前記第２範囲上及び前記第４範囲上のいずれか一点を選択可能な第２インターフェースを含み、前記ユーザが前記第２インターフェースによって選択した一点に対応する、前記現在の運転モード及び前記現在の運転モードに対する強弱程度を示す第２情報を、前記端末装置から受信し、前記現在の運転モード及び前記現在の運転モードに対する強弱程度で前記空気調和機を制御させるコマンドを、前記空気調和機に送信する。
【００１３】
この構成によれば、空気調和機の運転モードを変更するか否かを選択可能な第１インターフェースを含んだ第１画像がユーザの端末装置に表示される。運転モードは、第１モードと第１モードに相反する第２モードとを含む。ユーザが運転モードを変更すると選択したことを示す第１情報が端末装置から受信された場合は、第２画像が端末装置に表示される。第２画像は、（ｉ）空気調和機の購入時点の第１モードに対する強弱程度の範囲を示す第１範囲と、（ｉｉ）第１範囲に含まれた、空気調和機の現在の第１モードに対する強弱程度の範囲を示す第２範囲と、（ｉｉｉ）空気調和機の購入時点の第２モードに対する強弱程度の範囲を示す第３範囲と、（ｉｖ）第３範囲に含まれた、空気調和機の現在の第２モードに対する強弱程度の範囲を示す第４範囲と、を示す。第１範囲の大きさと第２範囲の大きさとの関係は、空気調和機の購入時から現在までの空気調和機の性能の劣化に対応する。第３範囲の大きさと第４範囲の大きさとの関係は、空気調和機の購入時から現在までの空気調和機の性能の劣化に対応する。第２画像は、第２範囲上及び第４範囲上のいずれか一点を選択可能な第２インターフェースを含む。ユーザが第２インターフェースによって選択した一点に対応する、現在の運転モード及び現在の運転モードに対する強弱程度を示す第２情報が、端末装置から受信される。現在の運転モード及び現在の運転モードに対する強弱程度で空気調和機を制御させるコマンドが、空気調和機に送信される。
【００１４】
したがって、空気調和機の購入時点の第１モードに対する強弱程度の範囲を示す第１範囲と、第１範囲に含まれた、空気調和機の現在の第１モードに対する強弱程度の範囲を示す第２範囲と、空気調和機の購入時点の第２モードに対する強弱程度の範囲を示す第３範囲と、第３範囲に含まれた、空気調和機の現在の第２モードに対する強弱程度の範囲を示す第４範囲と、を示す第２画像が表示されるので、空気調和機の劣化後の性能に応じて選択可能な運転モードの範囲をユーザに提示することができるとともに、劣化後の運転モードの選択範囲内で空気調和機を運転することができる。
【００１５】
また、上記の制御方法において、前記第１モードはハイパワーモードを示し、前記第２モードは省パワーモードを示してもよい。
【００１６】
空気調和機の冷房能力又は暖房能力を強化した場合、空気調和機の消費電力は大きくなり、空気調和機の消費電力を抑えた場合、空気調和機の冷房能力又は暖房能力は低下することになり、空気調和機の冷房能力又は暖房能力と空気調和機の消費電力とは相関関係にある。したがって、ハイパワーモードと省パワーモードという相関関係にある２つの運転モードの間を段階的に選択することができる。
【００１７】
また、上記の制御方法において、さらに、前記空気調和機から前記空気調和機の電源がオンになったことを示す第３情報を受信し、前回に前記運転モードが変更された時点から前記第３情報を受信した時点までの経過時間が所定期間を超えているか否かを判断し、前記経過時間が前記所定期間を超えていると判断した場合に、前記第１画像を前記端末装置に表示させてもよい。
【００１８】
この構成によれば、空気調和機から空気調和機の電源がオンになったことを示す第３情報が受信される。前回に運転モードが変更された時点から第３情報を受信した時点までの経過時間が所定期間を超えているか否かが判断される。経過時間が所定期間を超えていると判断された場合に、第１画像が端末装置に表示される。
【００１９】
したがって、前回に運転モードが変更された時点から、空気調和機から空気調和機の電源がオンになったことを示す第３情報が受信された時点までの経過時間に応じて、運転モードを変更するか否かを判断することができる。
【００２０】
また、上記の制御方法において、前記第２画像は、さらに、前記現在の運転モードに変更される前の運転モード及び前記現在の運転モードに変更される前の運転モードに対する強弱程度を示してもよい。
【００２１】
この構成によれば、第２画像は、さらに、現在の運転モードに変更される前の運転モード及び現在の運転モードに変更される前の運転モードに対する強弱程度を示すので、ユーザは、現在の運転モードに変更される前の運転モード及び現在の運転モードに変更される前の運転モードに対する強弱程度を確認しながら、運転モードを変更することができる。
【００２２】
また、上記の制御方法において、前記第２画像は、棒状であり、前記第２画像の一端と他端との間の第１基準点から前記一端までは前記第１範囲に対応し、前記第１基準点から前記他端までは前記第３範囲に対応し、前記第１基準点から前記第１範囲内の第２基準点までは前記第２範囲に対応し、前記第１基準点から前記第３範囲内の第３基準点までは前記第４範囲に対応し、前記第２インターフェースは、前記第２基準点から前記第３基準点までの間を前記ユーザによってスライド可能であってもよい。
【００２３】
この構成によれば、第２画像は、棒状である。第２画像の一端と他端との間の第１基準点から一端までは第１範囲に対応し、第１基準点から他端までは第３範囲に対応し、第１基準点から第１範囲内の第２基準点までは第２範囲に対応し、第１基準点から第３範囲内の第３基準点までは第４範囲に対応する。第２インターフェースは、第２基準点から第３基準点までの間をユーザによってスライド可能である。
【００２４】
したがって、棒状である第２画像のうちの所望の位置に対するユーザによる選択が受け付けられ、受け付けられた位置に対応する、運転モード及び運転モードに対する強弱程度が決定されるので、ユーザは直感的に運転モードを選択することができる。
【００２５】
また、上記の制御方法において、前記第２画像は、円弧状であり、前記第２画像の一端と他端との間の第１基準点から前記一端までは前記第１範囲に対応し、前記第１基準点から前記他端までは前記第３範囲に対応し、前記第１基準点から前記第１範囲内の第２基準点までは前記第２範囲に対応し、前記第１基準点から前記第３範囲内の第３基準点までは前記第４範囲に対応し、前記第２インターフェースは、前記第２基準点から前記第３基準点までの間を前記ユーザによってスライド可能であってもよい。
【００２６】
この構成によれば、第２画像は、円弧状である。第２画像の一端と他端との間の第１基準点から一端までは第１範囲に対応し、第１基準点から他端までは第３範囲に対応し、第１基準点から第１範囲内の第２基準点までは第２範囲に対応し、第１基準点から第３範囲内の第３基準点までは第４範囲に対応する。第２インターフェースは、第２基準点から第３基準点までの間をユーザによってスライド可能である。
【００２７】
したがって、円弧状である第２画像のうちの所望の位置に対するユーザによる選択が受け付けられ、受け付けられた位置に対応する、運転モード及び運転モードに対する強弱程度が決定されるので、ユーザは直感的に運転モードを選択することができる。
【００２８】
また、上記の制御方法において、前記第２画像は、０を中心に左右対称に並べられた複数の数字を含み、前記複数の数字のうち、前記０から左端までの数字は順に１ずつ増加し、前記０から右端までの数字は順に１ずつ増加し、前記０から前記左端までの数字は前記第１範囲に対応し、前記左端より前記０側に並べられた第１数字から前記０までの数字は前記第２範囲に対応し、前記０から前記右端までの数字は前記第３範囲に対応し、前記右端より前記０側に並べられた第２数字から前記０までの数字は前記第４範囲に対応し、前記第２インターフェースは、前記第１数字から前記第２数字までの間の数字を前記ユーザによって選択可能であってもよい。
【００２９】
この構成によれば、第２画像は、０を中心に左右対称に並べられた複数の数字を含む。複数の数字のうち、０から左端までの数字は順に１ずつ増加し、０から右端までの数字は順に１ずつ増加する。０から左端までの数字は第１範囲に対応し、左端より０側に並べられた第１数字から０までの数字は第２範囲に対応し、０から右端までの数字は第３範囲に対応し、右端より０側に並べられた第２数字から０までの数字は第４範囲に対応する。第２インターフェースは、第１数字から第２数字までの間の数字をユーザによって選択可能である。
【００３０】
したがって、０を中心に左右対称に並べられた複数の数字を含む第２画像のうちの所望の数字に対するユーザによる選択が受け付けられ、受け付けられた数字に対応する、運転モード及び運転モードに対する強弱程度が決定されるので、ユーザは直感的に運転モードを選択することができる。
【００３１】
また、上記の制御方法において、さらに、前記第２範囲の各点と前記空気調和機を動作させるためのパラメータセットとの対応関係及び前記第４範囲の各点と前記空気調和機を動作させるためのパラメータセットとの対応関係を示した第４情報を取得し、前記第２情報及び前記第４情報に基づいて、前記空気調和機を動作させるためのパラメータセットを選択し、前記コマンドは、前記選択されたパラメータセットで前記空気調和機を動作させるためのコマンドを含んでもよい。
【００３２】
この構成によれば、第２範囲の各点と空気調和機を動作させるためのパラメータセットとの対応関係及び第４範囲の各点と空気調和機を動作させるためのパラメータセットとの対応関係を示した第４情報が取得される。第２情報及び第４情報に基づいて、空気調和機を動作させるためのパラメータセットが選択される。コマンドは、選択されたパラメータセットで空気調和機を動作させるためのコマンドを含む。
【００３３】
したがって、ユーザによって選択された第２範囲内の一点に対応する、空気調和機を動作させるためのパラメータセットを決定することができ、パラメータセットに応じて空気調和機を動作させることができる。
【００３４】
また、上記の制御方法において、前記空気調和機は、圧縮機とファンモータとを備え、
前記パラメータセットは、前記圧縮機の目標回転数と、前記ファンモータの目標回転数とを含んでもよい。
【００３５】
この構成によれば、空気調和機は、圧縮機とファンモータとを備える。パラメータセットは、圧縮機の目標回転数と、ファンモータの目標回転数とを含むので、ユーザによって選択された第２範囲内の一点に対応する、圧縮機の目標回転数とファンモータの目標回転数とを決定することができ、圧縮機の目標回転数とファンモータの目標回転数とに応じて空気調和機を動作させることができる。
【００３６】
本開示の他の態様に係る端末装置は、空気調和機の運転モードの選択を受け付ける端末装置であって、プロセッサと、モニタと、通信部とを備え、前記プロセッサは、前記空気調和機の運転モードを変更するか否かを選択可能な第１インターフェースを含んだ第１画像を前記モニタに表示し、前記運転モードは、第１モードと前記第１モードに相反する第２モードとを含み、前記ユーザが前記運転モードを変更すると選択した場合は、第２画像を前記モニタに表示し、前記第２画像は、（ｉ）前記空気調和機の購入時点の前記第１モードに対する強弱程度の範囲を示す第１範囲と、（ｉｉ）前記第１範囲に含まれた、前記空気調和機の現在の前記第１モードに対する強弱程度の範囲を示す第２範囲と、（ｉｉｉ）前記空気調和機の購入時点の前記第２モードに対する強弱程度の範囲を示す第３範囲と、（ｉｖ）前記第３範囲に含まれた、前記空気調和機の現在の前記第２モードに対する強弱程度の範囲を示す第４範囲と、を示し、前記第１範囲の大きさと前記第２範囲の大きさとの関係は、前記空気調和機の購入時から現在までの前記空気調和機の性能の劣化に対応し、前記第３範囲の大きさと前記第４範囲の大きさとの関係は、前記空気調和機の購入時から現在までの前記空気調和機の性能の劣化に対応し、前記第２画像は、前記第２範囲上及び前記第４範囲上のいずれか一点を選択可能な第２インターフェースを含み、前記通信部は、前記ユーザが前記第２インターフェースによって選択した一点に対応する、前記現在の運転モード及び前記現在の運転モードに対する強弱程度を示す情報を送信する。
【００３７】
この構成によれば、空気調和機の運転モードを変更するか否かを選択可能な第１インターフェースを含んだ第１画像がモニタに表示される。運転モードは、第１モードと第１モードに相反する第２モードとを含む。ユーザが運転モードを変更すると選択した場合は、第２画像がモニタに表示される。第２画像は、（ｉ）空気調和機の購入時点の第１モードに対する強弱程度の範囲を示す第１範囲と、（ｉｉ）第１範囲に含まれた、空気調和機の現在の第１モードに対する強弱程度の範囲を示す第２範囲と、（ｉｉｉ）空気調和機の購入時点の第２モードに対する強弱程度の範囲を示す第３範囲と、（ｉｖ）第３範囲に含まれた、空気調和機の現在の第２モードに対する強弱程度の範囲を示す第４範囲と、を示す。第１範囲の大きさと第２範囲の大きさとの関係は、空気調和機の購入時から現在までの空気調和機の性能の劣化に対応する。第３範囲の大きさと第４範囲の大きさとの関係は、空気調和機の購入時から現在までの空気調和機の性能の劣化に対応する。第２画像は、第２範囲上及び第４範囲上のいずれか一点を選択可能な第２インターフェースを含む。ユーザが第２インターフェースによって選択した一点に対応する、現在の運転モード及び現在の運転モードに対する強弱程度を示す情報が送信される。
【００３８】
したがって、空気調和機の購入時点の第１モードに対する強弱程度の範囲を示す第１範囲と、第１範囲に含まれた、空気調和機の現在の第１モードに対する強弱程度の範囲を示す第２範囲と、空気調和機の購入時点の第２モードに対する強弱程度の範囲を示す第３範囲と、第３範囲に含まれた、空気調和機の現在の第２モードに対する強弱程度の範囲を示す第４範囲と、を示す第２画像が表示されるので、空気調和機の劣化後の性能に応じて選択可能な運転モードの範囲をユーザに提示することができるとともに、劣化後の運転モードの選択範囲内で空気調和機を運転することができる。
【００３９】
本開示の他の態様に係る運転制御システムは、空気調和機と、前記空気調和機の運転モードの選択を受け付ける端末装置と、前記端末装置によって受け付けられた前記運転モードに応じて前記空気調和機の運転を制御するための制御パラメータを決定し、決定した前記制御パラメータに応じて前記空気調和機の運転を制御する運転制御装置とを備える運転制御システムであって、前記運転制御装置は、プロセッサと、通信部とを備え、前記プロセッサは、前記空気調和機の運転モードを変更するか否かを選択可能な第１インターフェースを含んだ第１画像をユーザの端末装置に表示させ、前記運転モードは、第１モードと前記第１モードに相反する第２モードとを含み、前記ユーザが前記運転モードを変更すると選択したことを示す第１情報を前記端末装置から受信した場合は、第２画像を前記端末装置に表示させ、前記第２画像は、（ｉ）前記空気調和機の購入時点の前記第１モードに対する強弱程度の範囲を示す第１範囲と、（ｉｉ）前記第１範囲に含まれた、前記空気調和機の現在の前記第１モードに対する強弱程度の範囲を示す第２範囲と、（ｉｉｉ）前記空気調和機の購入時点の前記第２モードに対する強弱程度の範囲を示す第３範囲と、（ｉｖ）前記第３範囲に含まれた、前記空気調和機の現在の前記第２モードに対する強弱程度の範囲を示す第４範囲と、を示し、前記第１範囲の大きさと前記第２範囲の大きさとの関係は、前記空気調和機の購入時から現在までの前記空気調和機の性能の劣化に対応し、前記第３範囲の大きさと前記第４範囲の大きさとの関係は、前記空気調和機の購入時から現在までの前記空気調和機の性能の劣化に対応し、前記第２画像は、前記第２範囲上及び前記第４範囲上のいずれか一点を選択可能な第２インターフェースを含み、前記通信部は、前記ユーザが前記第２インターフェースによって選択した一点に対応する、前記現在の運転モード及び前記現在の運転モードに対する強弱程度を示す第２情報を、前記端末装置から受信し、前記現在の運転モード及び前記現在の運転モードに対する強弱程度で前記空気調和機を制御させるコマンドを、前記空気調和機に送信し、前記端末装置は、プロセッサと、モニタと、通信部とを備え、前記プロセッサは、前記第１画像を前記モニタに表示し、前記ユーザが前記運転モードを変更すると選択した場合は、前記第２画像を前記モニタに表示し、前記通信部は、前記第２情報を前記運転制御装置へ送信し、前記空気調和機は、プロセッサと、通信部とを備え、前記通信部は、前記運転制御装置によって送信された前記コマンドを受信し、前記プロセッサは、前記コマンドに応じて前記空気調和機を運転する。
【００４０】
この構成によれば、運転制御装置において、空気調和機の運転モードを変更するか否かを選択可能な第１インターフェースを含んだ第１画像がユーザの端末装置に表示される。運転モードは、第１モードと第１モードに相反する第２モードとを含む。ユーザが運転モードを変更すると選択したことを示す第１情報を端末装置から受信した場合は、第２画像が端末装置に表示される。第２画像は、（ｉ）空気調和機の購入時点の第１モードに対する強弱程度の範囲を示す第１範囲と、（ｉｉ）第１範囲に含まれた、空気調和機の現在の第１モードに対する強弱程度の範囲を示す第２範囲と、（ｉｉｉ）空気調和機の購入時点の第２モードに対する強弱程度の範囲を示す第３範囲と、（ｉｖ）第３範囲に含まれた、空気調和機の現在の第２モードに対する強弱程度の範囲を示す第４範囲と、を示す。第１範囲の大きさと第２範囲の大きさとの関係は、空気調和機の購入時から現在までの空気調和機の性能の劣化に対応する。第３範囲の大きさと第４範囲の大きさとの関係は、空気調和機の購入時から現在までの空気調和機の性能の劣化に対応する。第２画像は、第２範囲上及び第４範囲上のいずれか一点を選択可能な第２インターフェースを含む。ユーザが第２インターフェースによって選択した一点に対応する、現在の運転モード及び現在の運転モードに対する強弱程度を示す第２情報が、端末装置から受信される。現在の運転モード及び現在の運転モードに対する強弱程度で空気調和機を制御させるコマンドが、空気調和機に送信される。端末装置において、第１画像がモニタに表示される。ユーザが運転モードを変更すると選択した場合は、第２画像がモニタに表示される。第２情報が運転制御装置へ送信される。空気調和機において、運転制御装置によって送信されたコマンドが受信される。コマンドに応じて空気調和機が運転される。
【００４１】
したがって、空気調和機の購入時点の第１モードに対する強弱程度の範囲を示す第１範囲と、第１範囲に含まれた、空気調和機の現在の第１モードに対する強弱程度の範囲を示す第２範囲と、空気調和機の購入時点の第２モードに対する強弱程度の範囲を示す第３範囲と、第３範囲に含まれた、空気調和機の現在の第２モードに対する強弱程度の範囲を示す第４範囲と、を示す第２画像が表示されるので、空気調和機の劣化後の性能に応じて選択可能な運転モードの範囲をユーザに提示することができるとともに、劣化後の運転モードの選択範囲内で空気調和機を運転することができる。
【００４２】
以下添付図面を参照しながら、本発明の実施の形態について説明する。なお、以下の実施の形態は、本発明を具体化した一例であって、本発明の技術的範囲を限定するものではない。
【００４３】
（実施の形態１）
図１は、本開示の実施の形態１における運転制御システムの構成の一例を示す図である。図１に示す運転制御システムは、制御パラメータ変更支援装置１、空気調和機２、リモートコントローラ３、アダプタ４及び端末装置５を備える。
【００４４】
空気調和機２は、リモートコントローラ３と、例えば赤外線通信により互いに通信可能に接続される。アダプタ４は、空気調和機２と、例えば有線により接続され、ネットワーク６と空気調和機２とを接続する機能を有する。なお、アダプタ４は、空気調和機２の内部に搭載されてもよいし、無線により空気調和機２と接続されてもよい。また、アダプタ４は、ゲートウェイのようにプロトコル変換機能及びパケット送受信機能を有しており、モデムのように異種の伝送路媒体同士を接続する機能を有している。アダプタ４は、１つの装置で構成されてもよいし、有線又は無線で接続された上記の機能を有する複数の装置で構成されてもよい。
【００４５】
空気調和機２は、アダプタ４を介してネットワーク６に接続される。ネットワーク６は、例えば一般公衆回線であるインターネットなどである。リモートコントローラ３は、空気調和機２とアダプタ４とを介してネットワーク６に接続されてもよい。空気調和機２は、例えば、冷房機能、暖房機能、除湿機能、加湿機能及び空気清浄機能の少なくとも１つを有する。
【００４６】
端末装置５は、例えば、スマートフォン、タブレット型コンピュータ又はパーソナルコンピュータであり、ネットワーク６に接続され、空気調和機２の運転状況を確認したり、空気調和機２の運転を制御したりする。端末装置５は、ユーザが段階的に選択可能な空気調和機２の運転モードの選択を受け付ける。
【００４７】
本実施の形態では、運転モードは、空気調和機２の冷房能力又は暖房能力を強化させることを優先する第１の運転モードと、空気調和機２の消費電力を抑えることを優先する第２の運転モードとを含む。第１の運転モードはハイパワーモードを示し、第２の運転モードは省パワーモードを示す。空気調和機２の消費電力を最も抑えた場合、空気調和機２の冷房能力又は暖房能力は最も小さくなる。一方、空気調和機２の冷房能力又は暖房能力を最も強化させた場合、空気調和機２の消費電力は最も大きくなる。
【００４８】
制御パラメータ変更支援装置１は、例えばＷｅｂサーバで構成される。制御パラメータ変更支援装置１は、ネットワーク６及びアダプタ４を介して空気調和機２と互いに通信可能に接続され、空気調和機２のセンサ情報又は運転状況を監視及び収集する。また、制御パラメータ変更支援装置１は、ネットワーク６を介して端末装置５と通信可能に接続される。また、制御パラメータ変更支援装置１は、ネットワーク６、アダプタ４及び空気調和機２を介してリモートコントローラ３と通信可能に接続される。なお、ネットワーク６は、例えば一般公衆回線であるため、図１には示していない他の空気調和機又はその他の接続機器も接続されている。そのため、制御パラメータ変更支援装置１は、複数の空気調和機と通信することが可能であるとともに、複数の端末装置と通信することが可能である。
【００４９】
制御パラメータ変更支援装置１は、端末装置５によって受け付けられた運転モードに応じて空気調和機２の運転を制御するための制御パラメータを決定し、決定した制御パラメータに応じて空気調和機２の運転を制御する。
【００５０】
図２は、本開示の実施の形態１における制御パラメータ変更支援装置の構成を示す図である。
【００５１】
図２に示す制御パラメータ変更支援装置１は、通信部１１、データ収集部１２、性能算出部１３、記憶部１４、性能範囲算出部１５、運転モード範囲決定部１６及び制御パラメータ決定部１７を備える。
【００５２】
通信部１１は、制御パラメータ変更支援装置１がネットワーク６に接続するための機能を有している。
【００５３】
データ収集部１２は、空気調和機２から、所定の制御パラメータで空気調和機２を運転した場合における空気調和機２の動作状態と、当該所定の制御パラメータとを取得する。このとき、動作状態は、空気調和機２が冷房運転、暖房運転又は停止しているかを示す情報、空気調和機２の設定温度を示す情報、及び空気調和機２の各種センサで取得されたセンサデータを含む。センサで取得された情報は、例えば、室内の温度、圧縮機の回転数、室内ファンモータの回転数、配管温度及び消費電力などである。なお、動作状態及び制御パラメータは、定期的に取得してもよいし、動作状態が変化する毎に取得してもよい。
【００５４】
性能算出部１３は、データ収集部１２によって取得された動作状態に基づいて空気調和機２の性能を算出する。性能は、空気調和機２の冷房能力又は暖房能力と、空気調和機２の消費電力との組合せにより表される。なお、空気調和機２から取得した情報に消費電力が含まれる場合、性能算出部１３は、データ収集部１２によって取得された消費電力を用いる。また、空気調和機２から取得した情報に消費電力が含まれていない場合、性能算出部１３は、圧縮機の回転数及び室内ファンモータの回転数などのセンサデータから、所定の演算式又は変換テーブルを用いて消費電力を算出する。また、性能算出部１３は、室内ファンモータの回転数と配管温度とから、所定の演算式又は変換テーブルを用いて冷房能力又は暖房能力を算出する。
【００５５】
記憶部１４は、データ収集部１２によって取得された動作状態及び制御パラメータと、性能算出部１３によって算出された性能とを記憶する。このとき、記憶部１４は、動作状態、制御パラメータ及び性能を収集した時間と、例えば品番及び製造番号などの空気調和機２を識別する情報とを、動作状態、制御パラメータ及び性能とともに記憶する。
【００５６】
性能範囲算出部１５は、制御パラメータの変更可能な範囲内で変動する空気調和機２の劣化後の性能の範囲を算出する。
【００５７】
運転モード範囲決定部１６は、性能範囲算出部１５によって算出された性能の範囲を、運転モードの劣化後選択範囲に変換する。通信部１１は、運転モード範囲決定部１６によって変換された運転モードの劣化後選択範囲を示す運転モード選択画像を端末装置５へ送信する。なお、通信部１１は、運転モード選択画像を端末装置５へ送信するのではなく、運転モードの劣化後選択範囲を端末装置５へ送信してもよい。この場合、端末装置５は、受信した運転モードの劣化後選択範囲から運転モード選択画像を生成して表示する。
【００５８】
通信部１１は、端末装置５によって送信された運転モードを受信する。制御パラメータ決定部１７は、通信部１１によって受信された運転モードに応じて制御パラメータを決定する。通信部１１は、制御パラメータ決定部１７によって決定された制御パラメータに応じて空気調和機２を制御する制御信号を空気調和機２へ送信する。
【００５９】
図３は、本開示の実施の形態１における空気調和機の構成の一例を示す図である。図３に示す空気調和機２は、室内機２１及び室外機２２を備える。冷房運転時には、室内機２１は、室内の熱を吸収して冷風を送出し、室外機２２は、室内機２１で吸収した熱を放出する。暖房運転時には、室外機２２は、室外の熱を吸収して室内機２１へ送り、室内機２１は、室外機２２で吸収した熱を放出して温風を送出する。
【００６０】
室内機２１は、操作指示受信部２１１、運転制御部２１２、メモリ２１３、第１の通信部２１４、温度センサ２１５、室内ファンモータ２１６及び第２の通信部２１７を備える。
【００６１】
操作指示受信部２１１は、リモートコントローラ３によって送信された操作指示を受信する。第１の通信部２１４は、アダプタ４及びネットワーク６を介して制御パラメータ変更支援装置１及び端末装置５と通信する。温度センサ２１５は、室内の温度及び冷媒配管内の温度を検出する。運転制御部２１２は、制御パラメータ変更支援装置１から受信した制御信号に応じて空気調和機２の運転を制御する。メモリ２１３は、各種センサにより取得されたセンサデータ及び制御パラメータ変更支援装置１から受信した制御信号などの種々の情報を記憶する。
【００６２】
室内ファンモータ２１６は、室内の空気を取り込むとともに、熱交換機（不図示）により冷却された空気を室内に排出するためのファンを回転させる。なお、室内ファンモータ２１６は、室内ファンモータ２１６の単位時間当たりの回転数を測定する回転数測定部２１６１を備える。第２の通信部２１７は、室外機２２と通信する。第２の通信部２１７は、室外機２２によって送信されたセンサデータを受信する。
【００６３】
制御信号は、制御パラメータを含む。運転制御部２１２は、リモートコントローラ３によって入力された設定温度と、温度センサ２１５によって検出された室内温度とに対応する室内ファンモータ２１６の回転数を制御パラメータから算出する。
【００６４】
なお、室内機２１は、空気調和機２で消費される消費電力を測定する消費電力測定部を備えてもよい。
【００６５】
室外機２２は、第３の通信部２２１、温度センサ２２２、圧縮機２２３及び室外ファンモータ２２４を備える。
【００６６】
第３の通信部２２１は、室内機２１と通信する。第３の通信部２２１は、センサデータを室内機２１へ送信する。温度センサ２２２は、外気温を検出する。圧縮機２２３は、冷媒配管内を流れるガスを吸入し、吸入したガスを圧縮して排出する。なお、圧縮機２２３は、圧縮機２２３の単位時間当たりの回転数を測定する回転数測定部２２３１を備える。
【００６７】
室外ファンモータ２２４は、外気を取り込むとともに、圧縮機２２３から排出されたガスを熱交換機（不図示）により冷却するためのファンを回転させる。なお、室外ファンモータ２２４は、室外ファンモータ２２４の単位時間当たりの回転数を測定する回転数測定部２２４１を備える。
【００６８】
図４は、本開示の実施の形態１における端末装置の構成の一例を示す図である。図４に示す端末装置５は、通信部５１、制御部５２、メモリ５３、表示部５４及び入力部５５を備える。
【００６９】
通信部５１は、ネットワーク６を介して制御パラメータ変更支援装置１と通信する。通信部５１は、制御パラメータ変更支援装置１によって送信された運転モード選択画像を受信する。制御部５２は、端末装置５を制御する。メモリ５３は、種々の情報を記憶する。表示部５４は、通信部５１によって受信された運転モード選択画像を表示する。入力部５５は、表示部５４によって表示された運転モード選択画像における運転モードのユーザによる選択を受け付ける。通信部５１は、入力部５５によって受け付けられた運転モードを制御パラメータ変更支援装置１へ送信する。
【００７０】
続いて、制御パラメータ変更支援装置１が空気調和機２からデータを収集するデータ収集処理について説明する。
【００７１】
図５は、空気調和機からデータを収集するデータ収集処理について説明するためのフローチャートである。
【００７２】
まず、ステップＳ１において、データ収集部１２は、空気調和機２から、空気調和機２の動作状態と制御パラメータとを取得する。上記のように、動作状態は、空気調和機２が冷房運転、暖房運転又は停止しているかを示す情報、空気調和機２の設定温度を示す情報、及び空気調和機２の各種センサで取得されたセンサデータを含む。
【００７３】
次に、ステップＳ２において、性能算出部１３は、データ収集部１２によって取得された動作状態に基づいて空気調和機２の性能を算出する。上記のように、性能は、空気調和機２の冷房能力又は暖房能力と、空気調和機２の消費電力との組合せにより表される。
【００７４】
次に、ステップＳ３において、性能算出部１３は、データ収集部１２によって取得された動作状態及び制御パラメータと、性能算出部１３によって算出された性能とを記憶部１４に記憶する。
【００７５】
ここで、記憶部１４に記憶される動作状態、制御パラメータ及び性能について説明する。
【００７６】
図６は、記憶部に記憶される動作状態、制御パラメータ及び性能の一例を示す図である。空気調和機２は、動作状態及び制御パラメータとともに、送信元である空気調和機２の品番及び製造番号を送信する。記憶部１４には、データが取得された時間と、空気調和機２の品番及び製造番号と、動作状態（稼働状況及びセンサデータ）と、制御パラメータと、性能とが対応付けて記憶される。
【００７７】
なお、制御パラメータ番号は、空気調和機２が用いた制御パラメータを特定するための番号であり、例えば、空気調和機２の性能に応じた１番から４０番までの４０種類の制御パラメータが存在する。また、各制御パラメータは、制御パラメータの項目に応じた複数のパラメータテーブルを含む。例えば、圧縮機目標回転数及び室内ファンモータ目標回転数は、設定温度と室温とに応じて決定される。
【００７８】
また、本実施の形態１では、性能は、空気調和機２の冷房能力又は暖房能力と、空気調和機２の消費電力との組合せにより表されるが、本開示は特にこれに限定されない。互いに相関関係がある２つの値の組合せにより表されてもよい。例えば、性能は、空気調和機２の除湿能力、加湿能力又は空気清浄能力と、空気調和機２の消費電力との組合せにより表されてもよい。
【００７９】
続いて、実施の形態１において制御パラメータを変更する制御パラメータ変更処理について説明する。
【００８０】
図７は、本開示の実施の形態１における制御パラメータ変更処理について説明するためのフローチャートである。
【００８１】
まず、ステップＳ１０１において、端末装置５の制御部５２は、メニュー画像を表示部５４に表示する。メニュー画像は、例えば、端末装置５にインストールされたアプリケーションを起動することにより、表示される。
【００８２】
図８は、メニュー画像の一例を示す図である。図８に示すように、メニュー画像１６０は、空気調和機２の運転を制御するための種々のボタンを有している。メニュー画像１６０は、運転モードを変更するための運転モード変更ボタン１６１を有している。制御部５２は、空気調和機２の運転モードを変更するか否かを選択可能な運転モード変更ボタン１６１（第１インターフェース）を含んだメニュー画像１６０（第１画像）を表示させる。
【００８３】
次に、ステップＳ１０２において、制御部５２は、運転モード変更ボタン１６１が押下されたか否かを判断する。ここで、運転モード変更ボタン１６１が押下されていないと判断された場合（ステップＳ１０２でＮＯ）、制御部５２は、運転モード変更ボタン１６１が押下されるまで待機する。なお、制御部５２は、運転モード変更ボタン１６１以外のボタンが押下された場合、押下されたボタンに応じた空気調和機２の運転の制御を行う。
【００８４】
一方、運転モード変更ボタン１６１が押下されたと判断された場合（ステップＳ１０２でＹＥＳ）、ステップＳ１０３において、通信部５１は、運転モードの変更を要求するための運転モード変更要求を制御パラメータ変更支援装置１へ送信する。
【００８５】
次に、ステップＳ１０４において、制御パラメータ変更支援装置１の通信部１１は、端末装置５によって送信された運転モード変更要求を受信する。
【００８６】
次に、ステップＳ１０５において、制御パラメータ変更支援装置１の性能範囲算出部１５は、制御パラメータの変更可能な範囲内で変動する空気調和機２の劣化後の性能の範囲を算出する性能範囲算出処理を行う。なお、性能範囲算出処理については、図９を用いて説明する。
【００８７】
図９は、図７のステップＳ１０５における性能範囲算出処理について説明するためのフローチャートである。
【００８８】
まず、ステップＳ３１において、性能範囲算出部１５は、所定期間の性能の平均を現在の性能として算出する。すなわち、性能範囲算出部１５は、現在時刻から過去数時間に算出された性能の平均を算出し、算出した性能の平均を現在の性能として算出する。
【００８９】
次に、ステップＳ３２において、性能範囲算出部１５は、品番が同じであるとともに、現在の性能と現在の制御パラメータとの第１の組合せと同じ組合せが対応付けられた他の空気調和機を特定し、現在の制御パラメータとは異なる別の制御パラメータで他の空気調和機を運転した場合に算出される別の性能と別の制御パラメータとの第２の組合せを記憶部１４から取得する。すなわち、記憶部１４は、制御パラメータのうちの第１の制御パラメータと、第１の制御パラメータで運転した際に得られる第１の性能との第１の組合せと、第１の制御パラメータとは異なる第２の制御パラメータと、第２の制御パラメータで運転した際に得られる第２の性能との第２の組合せとを、空気調和機の品番及び製造番号に対応付けて記憶している。そのため、性能範囲算出部１５は、ネットワーク６を介して接続されている別の空気調和機の制御パラメータ及び性能の組合せを利用して、空気調和機２の性能の範囲を算出する。
【００９０】
次に、ステップＳ３３において、性能範囲算出部１５は、算出した２つの組合せに基づいて性能の範囲を算出する。
【００９１】
図１０は、本開示の実施の形態１において、購入当初の性能の範囲と劣化後の性能の範囲とを示す図であり、図１１は、本開示の実施の形態１における制御パラメータについて説明するための図であり、図１２は、変更前の制御パラメータ及び性能の第１の組合せと、変更後の制御パラメータ及び性能の第２の組合せとの一例を示す図である。
【００９２】
図１０に示すように、空気調和機２の性能は、空気調和機２の冷房能力と空気調和機２の消費電力との組合せにより表される。そして、性能の範囲は、空気調和機２の消費電力を一方の座標軸（横軸）とし、空気調和機２の冷房能力を他方の座標軸（縦軸）とする座標系において、第１の運転モードで運転した場合に取得される消費電力と冷房能力とを表す座標点と、第２の運転モードで運転した場合に取得される消費電力と冷房能力とを表す座標点とを結ぶ直線で表される。なお、図１０では、冷房能力と消費電力との関係を示しているが、暖房能力と消費電力との関係についても同様である。
【００９３】
図１０において、購入当初（初期）の空気調和機２の性能の範囲を破線で示し、劣化後の空気調和機２の性能の範囲を実線で示している。
【００９４】
点Ｐ１は、購入当初において、空気調和機２の冷房能力を強化させることを優先する第１の運転モードに対応する制御パラメータを用いて空気調和機２を運転した場合に得られる性能を示している。点Ｐ２は、購入当初において、空気調和機２の消費電力を抑えることを優先する第２の運転モードに対応する制御パラメータを用いて空気調和機２を運転した場合に得られる性能を示している。
【００９５】
なお、空気調和機２に規定されている最大の冷房能力は２．２ｋＷであり、空気調和機２に規定されている最大の消費電力は２０００Ｗである。点Ｐ１における冷房能力は２．２ｋＷであり、原点における冷房能力は０ｋＷである。また、点Ｐ２における消費電力は２００Ｗであり、原点における消費電力は２０００Ｗである。なお、本実施の形態１における空気調和機２の最大の冷房能力及び最大の消費電力は一例である。空気調和機２の最大の冷房能力及び最大の消費電力は、空気調和機２の品番ごとに規定されてもよい。
【００９６】
また、点Ｐ３は、劣化後において、空気調和機２の冷房能力を強化させることを優先する第１の運転モードに対応する制御パラメータを用いて空気調和機２を運転した場合に得られる性能を示している。点Ｐ２は、劣化後において、空気調和機２の消費電力を抑えることを優先する第２の運転モードに対応する制御パラメータを用いて空気調和機２を運転した場合に得られる性能を示している。
【００９７】
運転モードは、第１の運転モードと第２の運転モードとの間を段階的に選択可能である。例えば、第１の運転モードが選択された場合、制御パラメータ決定部１７は、制御パラメータを、第１の運転モードに対応する図１１に示す第１の制御パラメータＣＰ１に決定する。また、例えば、第２の運転モードが選択された場合、制御パラメータ決定部１７は、制御パラメータを、第２の運転モードに対応する図１１に示す第４０の制御パラメータＣＰ４０に決定する。図１１に示すように、制御パラメータは、例えば、第１の制御パラメータＣＰ１〜第４０の制御パラメータＣＰ４０を含む。さらに、各制御パラメータは、制御項目に応じた複数のテーブルを有しており、制御項目の値は、設定温度と現在の室温とに基づいて決定される。例えば、第１の制御パラメータＣＰ１において、設定温度が１８度であり、現在の室温が３０度である場合、圧縮機目標回転数は５０に決定される。
【００９８】
第１の制御パラメータＣＰ１で運転した場合の性能は、図１１の点Ｃ１で表され、第４０の制御パラメータＣＰ４０で運転した場合の性能は、図１１の点Ｃ２で表される。そして、第１の制御パラメータＣＰ１と第４０の制御パラメータＣＰ４０との中間の第２０の制御パラメータＣＰ２０で運転した場合の性能は、図１１の点Ｃ３で表される。
【００９９】
なお、本実施の形態では、第１の制御パラメータＣＰ１〜第４０の制御パラメータＣＰ４０の４０の制御パラメータが用いられるが、本開示は特にこれに限定されず、４０より多い制御パラメータが用いられてもよく、４０より少ない制御パラメータが用いられもよい。
【０１００】
ここで、性能範囲算出処理について説明する。
【０１０１】
まず、性能範囲算出部１５は、現在時刻から過去数時間に算出された性能の平均を算出し、算出した性能の平均を現在の性能として算出する。例えば、図１０に示す点Ｐ５が、性能範囲算出部１５によって算出された現在の性能を示す。
【０１０２】
次に、性能範囲算出部１５は、品番が同じであるとともに、現在の性能と現在の制御パラメータとの第１の組合せと同じ組合せが対応付けられた他の空気調和機を特定し、現在の制御パラメータとは異なる別の制御パラメータで他の空気調和機を運転した場合に算出される別の性能と別の制御パラメータとの第２の組合せを記憶部１４から取得する。例えば、図１０に示す点Ｐ６が、現在の性能と現在の制御パラメータとの第１の組合せと同じ組合せが対応付けられた他の空気調和機を、現在の制御パラメータとは異なる別の制御パラメータで運転した場合に算出される別の性能を示す。
【０１０３】
なお、他の空気調和機の品番は、制御対象の空気調和機の品番と同じである必要はない。性能範囲算出部１５は、現在の性能と現在の制御パラメータとの第１の組合せと同じ組合せが対応付けられた他の空気調和機を特定し、現在の制御パラメータとは異なる別の制御パラメータで他の空気調和機を運転した場合に算出される別の性能と別の制御パラメータとの第２の組合せを記憶部１４から取得してもよい。
【０１０４】
図１２に示すように、記憶部１４は、第１の制御パラメータを識別する番号と、第１の制御パラメータで運転した際に得られる第１の性能との第１の組合せと、第１の制御パラメータとは異なる第２の制御パラメータを識別する番号と、第２の制御パラメータで運転した際に得られる第２の性能との第２の組合せとを、空気調和機の品番及び製造番号に対応付けて記憶している。
【０１０５】
例えば、制御パラメータの変更時間が２０１５年６月５日１２時５分であり、品番が“ＡＣ−００１”であり、製造番号が“３４５６”である空気調和機には、制御パラメータの識別番号が“４”であり、冷房能力が“２．０”であり、消費電力が“１９０”である第１の組合せと、制御パラメータの識別番号が“９”であり、冷房能力が“１．７”であり、消費電力が“１３０”である第２の組合せとが対応付けられている。
【０１０６】
次に、性能範囲算出部１５は、現在の性能に対応する点Ｐ５と、別の性能に対応する点Ｐ６とを結ぶ直線に基づいて性能の範囲を算出する。性能範囲算出部１５は、現在の性能に対応する点Ｐ５と、別の性能に対応する点Ｐ６とを通る直線を算出し、直線の両端の点を算出することにより、性能の範囲を算出する。直線の一端である点Ｐ３と、直線の他端である点Ｐ４とは、点Ｐ５の制御パラメータの識別番号と、点Ｐ６の制御パラメータの識別番号とにより算出することができる。すなわち、購入当初の制御パラメータは、劣化後の制御パラメータと同じであり、点Ｐ１における制御パラメータと点Ｐ３における制御パラメータとは同じであり、点Ｐ２における制御パラメータと点Ｐ４における制御パラメータとは同じである。制御パラメータの数は、予め決まっており、運転モードの劣化後選択範囲内において、制御パラメータは等間隔に対応付けられている。そのため、点Ｐ５における制御パラメータの識別番号と、点Ｐ６における制御パラメータの識別番号と、点Ｐ５と点Ｐ６との間隔とがわかれば、点Ｐ３の位置と点Ｐ４の位置とを算出することができる。
【０１０７】
なお、算出された劣化後の性能の範囲が、上限値又は下限値を超える場合、性能が上限値以下又は下限値以上となるように劣化後の性能の範囲を補正してもよい。例えば、図１０において、冷房能力の下限値が０．２ｋＷである場合、点Ｐ４の冷房能力は０．１６ｋＷであり、下限値を超えることになる。この場合、性能範囲算出部１５は、冷房能力が下限値の０．２ｋＷ以上となるように劣化後の性能の範囲を補正する。
【０１０８】
以上のようにして、空気調和機２の性能の範囲が算出される。
【０１０９】
図７に戻り、次に、ステップＳ１０６において、運転モード範囲決定部１６は、性能範囲算出部１５によって算出された性能の範囲を、運転モードの劣化後選択範囲に変換する。例えば、図１０に示す例では、購入当初に第１の運転モードで運転した場合の冷房能力に対して、劣化後に第１の運転モードで運転した場合の冷房能力は９０％に低下しているので、運転モードの劣化後選択範囲のうちの第１の運転モード側の長さを９０％短くする。また、例えば、図１０に示す例では、購入当初に第２の運転モードで運転した場合の消費電力に対して、劣化後に第２の運転モードで運転した場合の消費電力は８０％に低下しているので、運転モードの劣化後選択範囲のうちの第２の運転モード側の長さを８０％短くする。
【０１１０】
次に、ステップＳ１０７において、運転モード範囲決定部１６は、記憶部１４に記憶された初期の性能の範囲を読み出し、読み出した初期の性能の範囲を、運転モードの初期選択範囲に変換する。記憶部１４は、例えば、図１０の点Ｐ１と点Ｐ２とを結ぶ直線で表される初期（購入当初）の性能の範囲を記憶している。なお、初期の性能の範囲は、製造時に予め記憶部１４に記憶されてもよいし、空気調和機２が最初に運転された際に算出されてもよい。また、初期の性能の範囲は、ネットワーク６を介して他の空気調和機から取得されてもよく、ネットワーク６を介して他のサーバから取得されてもよい。
【０１１１】
次に、ステップＳ１０８において、運転モード範囲決定部１６は、変換した運転モードの劣化後選択範囲を示す運転モード選択画像を生成する。運転モード選択画像は、変換された運転モードの初期選択範囲と、変換された運転モードの劣化後選択範囲とを含む。
【０１１２】
次に、ステップＳ１０９において、通信部１１は、運転モード範囲決定部１６によって決定された運転モードの劣化後選択範囲を示す運転モード選択画像を端末装置５へ送信する。
【０１１３】
次に、ステップＳ１１０において、端末装置５の通信部５１は、制御パラメータ変更支援装置１によって送信された運転モード選択画像を受信する。
【０１１４】
次に、ステップＳ１１１において、表示部５４は、通信部５１によって受信された運転モード選択画像を表示する。
【０１１５】
次に、ステップＳ１１２において、入力部５５は、表示部５４によって表示された運転モード選択画像における運転モードのユーザによる選択を受け付ける。入力部５５は、運転モード選択画像のうちの所望の位置に対するユーザによる選択を受け付ける。
【０１１６】
ここで、運転モード選択画像について説明する。
【０１１７】
図１３は、本実施の形態１において、購入当初に表示される運転モード選択画像の一例を示す図であり、図１４は、本実施の形態１において、劣化後に表示される運転モード選択画像の一例を示す図である。
【０１１８】
図１３に示すように表示部５４の画面１００には、運転モード選択画像１１１が表示される。運転モード選択画像１１１は、第１の運転モードが選択される位置を一端とし、第２の運転モードが選択される位置を他端とするバー形状である。運転モード選択画像１１１の左端が、空気調和機２の冷房能力を強化させることを優先する第１の運転モードに対応し、運転モード選択画像１１１の右端が、空気調和機２の消費電力を抑えることを優先する第２の運転モードに対応している。ユーザは、運転モード選択画像１１１上に表示された調節つまみ画像１１２を水平方向へ移動させることにより、所望の運転モードを選択する。
【０１１９】
また、図１４に示すように、運転モード選択画像１１３は、（ｉ）空気調和機２の購入時点の第１の運転モードに対する強弱程度の範囲を示す第１選択範囲１１４１と、（ｉｉ）第１選択範囲１１４１に含まれた、空気調和機２の現在の第１の運転モードに対する強弱程度の範囲を示す第２選択範囲１１５１と、（ｉｉｉ）空気調和機２の購入時点の第２の運転モードに対する強弱程度の範囲を示す第３選択範囲１１４２と、（ｉｖ）第３選択範囲１１４２に含まれた、空気調和機２の現在の第２の運転モードに対する強弱程度の範囲を示す第４選択範囲１１５２とを示す。
【０１２０】
空気調和機２の劣化後に表示される運転モード選択画像１１３は、初期の性能の範囲から変換された第１選択範囲１１４１及び第３選択範囲１１４２と、劣化後の性能の範囲から変換された第２選択範囲１１５１及び第４選択範囲１１５２とを含む。第２選択範囲１１５１及び第４選択範囲１１５２は、劣化後の性能の範囲が反映されているため、第１選択範囲１１４１及び第３選択範囲１１４２より短くなっている。また、第２選択範囲１１５１及び第４選択範囲１１５２は、第１選択範囲１１４１及び第３選択範囲１１４２に重畳して表示され、第１選択範囲１１４１及び第３選択範囲１１４２と識別可能に表示される。例えば、第２選択範囲１１５１及び第４選択範囲１１５２と、第１選択範囲１１４１及び第３選択範囲１１４２とは、互いに異なる色で表示されてもよい。
【０１２１】
第１選択範囲１１４１の大きさと第２選択範囲１１５１の大きさとの関係は、空気調和機２の購入時から現在までの空気調和機２の性能の劣化に対応する。第３選択範囲１１４２の大きさと第４選択範囲１１５２の大きさとの関係は、空気調和機２の購入時から現在までの空気調和機２の性能の劣化に対応する。運転モード選択画像１１３は、第２選択範囲１１５１上及び第４選択範囲１１５２上のいずれか一点を選択可能な調節つまみ画像１１２（第２インターフェース）を含む。
【０１２２】
運転モード選択画像１１３は、棒状である。運転モード選択画像１１３の一端１１６２と他端１１６３との間の第１基準点１１６１から一端１１６２までは第１選択範囲１１４１に対応し、第１基準点１１６１から他端１１６３までは第３選択範囲１１４２に対応し、第１基準点１１６１から第１選択範囲１１４１内の第２基準点１１６４までは第２選択範囲１１５１に対応し、第１基準点１１６１から第３選択範囲１１４２内の第３基準点１１６５までは第４選択範囲１１５２に対応する。
【０１２３】
調節つまみ画像１１２（第２インターフェース）は、第２基準点１１６４から第３基準点１１６５までの間をユーザによってスライド可能である。
【０１２４】
なお、運転モード選択画像１１３は、現在の運転モードに変更される前の運転モード及び現在の運転モードに変更される前の運転モードに対する強弱程度を示すマーク１１７を含んでもよい。
【０１２５】
また、本実施の形態１では、運転モード選択画像１１３の形状はバー形状に限定されない。例えば、運転モード選択画像１１３の形状は半円形状又は円形状であってもよい。半円の円周上の一端が、冷房能力を優先する第１の運転モードに対応し、半円の円周上の他端が、消費電力を優先する第２の運転モードに対応する。この場合、ユーザは、半円又は円の中心から半径方向に延びる矢印の位置を円周に沿って移動させることにより、運転モードを選択してもよい。
【０１２６】
図７に戻り、次に、ステップＳ１１３において、入力部５５は、ユーザにより運転モードが入力されたか否かを判断する。ここで、運転モードが入力されていないと判断された場合（ステップＳ１１３でＮＯ）、入力部５５は、ユーザにより運転モードが入力されるまで待機する。なお、運転モードが入力されず、キャンセルボタンが選択された場合は、処理を終了する。
【０１２７】
一方、運転モードが入力されたと判断された場合（ステップＳ１１３でＹＥＳ）、ステップＳ１１４において、通信部５１は、入力された運転モードを示す情報を制御パラメータ変更支援装置１へ送信する。なお、運転モードを示す情報は、例えば、運転モード選択範囲画像におけるユーザ選択位置であってもよい。
【０１２８】
次に、ステップＳ１１５において、制御パラメータ変更支援装置１の通信部１１は、端末装置５によって送信された運転モードを示す情報を受信する。通信部１１は、ユーザが調節つまみ画像１１２（第２インターフェース）によって選択した一点に対応する、現在の運転モード及び現在の運転モードに対する強弱程度を示す情報（第２情報）を、端末装置５から受信する。
【０１２９】
次に、ステップＳ１１６において、制御パラメータ決定部１７は、通信部１１によって受信された運転モードを示す情報に基づいて制御パラメータを決定する。例えば、制御パラメータ決定部１７は、運転モード選択範囲画像におけるユーザ選択位置に対応する制御パラメータに決定する。制御パラメータ決定部１７は、運転モード選択画像のうちのユーザによる選択を受け付けた位置に応じて制御パラメータを決定する。制御パラメータ決定部１７は、第２選択範囲の各点と空気調和機２を動作させるためのパラメータセットとの対応関係及び第４選択範囲の各点と空気調和機２を動作させるためのパラメータセットとの対応関係を示した情報（第４情報）を取得する。制御パラメータ決定部１７は、第２情報及び第４情報に基づいて、空気調和機２を動作させるためのパラメータセットを選択する。なお、例えば、パラメータセットは、空気調和機２が備える圧縮機の目標回転数と、空気調和機２が備えるファンモータの目標回転数とを含む。
【０１３０】
次に、ステップＳ１１７において、通信部１１は、制御パラメータ決定部１７によって決定された制御パラメータを空気調和機２へ送信する。通信部１１は、現在の運転モード及び現在の運転モードに対する強弱程度で空気調和機２を制御させるコマンド（制御パラメータ）を、空気調和機２に送信する。空気調和機２の第１の通信部２１４は、制御パラメータ変更支援装置１によって送信された制御パラメータを受信する。運転制御部２１２は、第１の通信部２１４によって受信された制御パラメータを用いて空気調和機２の運転を制御する。
【０１３１】
次に、ステップＳ１１８において、通信部１１は、運転モードの変更を通知するための運転モード変更通知を端末装置５へ送信する。
【０１３２】
次に、ステップＳ１１９において、端末装置５の通信部５１は、制御パラメータ変更支援装置１によって送信された運転モード変更通知を受信する。
【０１３３】
次に、ステップＳ１２０において、制御部５２は、運転モードの変更をユーザに通知するための運転モード変更通知画像を表示部５４に表示する。
【０１３４】
図１５は、運転モード変更通知画像の一例を示す図である。図１５に示すように、表示部５４は、運転モード変更通知画像１９０を表示する。これにより、ユーザは、運転モードの変更が完了したことを認識することができる。
【０１３５】
図７に戻って、ステップＳ１２１において、性能算出部１３は、運転モードが変更されてから所定期間の性能の平均を、運転モードを変更した後の空気調和機２の性能として算出する。すなわち、性能算出部１３は、運転モードが変更されてから現在時刻までの間の所定期間に算出された性能の平均を算出し、算出した性能の平均を、運転モードを変更した後の性能として算出する。データ収集部１２は、空気調和機２の制御パラメータが第１の制御パラメータから第２の制御パラメータに変更された場合、第２の制御パラメータで空気調和機２を運転した場合における空気調和機２の動作状態と、当該第２の制御パラメータとを取得する。性能算出部１３は、取得された動作状態に基づいて空気調和機２の第２の性能を算出する。
【０１３６】
次に、ステップＳ１２２において、性能算出部１３は、運転モードを変更する前の第１の制御パラメータと第１の性能との第１の組合せと、運転モードを変更した後の第２の制御パラメータと第２の性能との第２の組合せとを空気調和機２に対応付けて記憶部１４に記憶する。このとき、記憶部１４は、図１２に示すように、運転モードが変更された時間と、空気調和機２を識別するための情報と、第１の組合せと、第２の組合せとを対応付けて記憶する。
【０１３７】
上記のように、劣化後の空気調和機２の性能に応じて、ユーザが選択可能な運転モードを示す運転モード選択画像が短くなるので、ユーザは、空気調和機２の性能の劣化を視覚的に確認することができる。
【０１３８】
（第１の変形例）
本実施の形態１では、メニュー画像１６０に表示された運転モード変更ボタン１６１が押下されたことをトリガーにして、制御パラメータを変更する処理が行われるが、本開示は特にこれに限定されず、空気調和機の性能が所定値より劣化したことをトリガーにして、制御パラメータを変更する処理が行われてもよい。
【０１３９】
図１６は、本実施の形態１の第１の変形例における制御パラメータ変更処理について説明するための第１のフローチャートであり、図１７は、本実施の形態１の第１の変形例における制御パラメータ変更処理について説明するための第２のフローチャートである。
【０１４０】
まず、ステップＳ２０１において、制御パラメータ変更支援装置１の性能算出部１３は、記憶部１４に記憶されている空気調和機２の性能が所定値より劣化しているか否かを判断する。このとき、性能算出部１３は、空気調和機２の冷房能力又は暖房能力が所定値より劣化しているか否かを判断するとともに、空気調和機２の消費電力が所定値より劣化しているか否かを判断する。性能算出部１３は、冷房能力又は暖房能力と、消費電力とのうちの少なくとも一方が所定値より劣化していると判断された場合、性能が所定値より劣化していると判断する。ここで、性能が所定値より劣化していないと判断された場合（ステップＳ２０１でＮＯ）、制御パラメータ変更処理を終了する。
【０１４１】
一方、性能が所定値より劣化していると判断された場合（ステップＳ２０１でＹＥＳ）、ステップＳ２０２において、通信部１１は、空気調和機２の性能が劣化していることを通知するための劣化通知を端末装置５へ送信する。
【０１４２】
次に、ステップＳ２０３において、端末装置５の通信部５１は、制御パラメータ変更支援装置１によって送信された劣化通知を受信する。
【０１４３】
次にステップＳ２０４において、制御部５２は、空気調和機２の性能が劣化していることを通知するとともに運転モードを変更するか否かを受け付けるための劣化通知画像を表示部５４に表示する。
【０１４４】
図１８は、劣化通知画像の一例を示す図である。図１８に示すように、劣化通知画像１７０には、空気調和機２の性能が劣化していることを通知するための文章が表示される。また、劣化通知画像１７０は、運転モードを変更するための運転モード変更ボタン１７１と、運転モードの変更をキャンセルするためのキャンセルボタン１７２とを有している。制御部５２は、空気調和機２の運転モードを変更するか否かを選択可能な運転モード変更ボタン１７１（第１インターフェース）を含んだ劣化通知画像１７０（第１画像）を表示させる。
【０１４５】
次に、ステップＳ２０５において、制御部５２は、運転モード変更ボタン１７１が押下されたか否かを判断する。ここで、運転モード変更ボタン１７１が押下されていないと判断された場合、すなわち、キャンセルボタン１７２が押下された場合（ステップＳ２０５でＮＯ）、制御パラメータ変更処理を終了する。
【０１４６】
一方、運転モード変更ボタン１７１が押下されたと判断された場合（ステップＳ２０５でＹＥＳ）、ステップＳ２０６において、通信部５１は、運転モードの変更を要求するための運転モード変更要求を制御パラメータ変更支援装置１へ送信する。
【０１４７】
次に、ステップＳ２０７において、制御パラメータ変更支援装置１の通信部１１は、端末装置５によって送信された運転モード変更要求を受信する。
【０１４８】
なお、ステップＳ２０８〜ステップＳ２２５の処理は、図７に示すステップＳ１０５〜ステップＳ１２２の処理と同じであるので、説明を省略する。
【０１４９】
（第２の変形例）
本実施の形態１では、メニュー画像１６０に表示された運転モード変更ボタン１６１が押下されたことをトリガーにして、制御パラメータを変更する処理が行われるが、本開示は特にこれに限定されず、前回の運転モードの変更から所定時間経過したことをトリガーにして、制御パラメータを変更する処理が行われてもよい。
【０１５０】
図１９は、本実施の形態１の第２の変形例における制御パラメータ変更処理について説明するための第１のフローチャートであり、図２０は、本実施の形態１の第２の変形例における制御パラメータ変更処理について説明するための第２のフローチャートである。
【０１５１】
まず、ステップＳ３０１において、制御パラメータ変更支援装置１の性能算出部１３は、前回の運転モードの変更から所定時間経過したか否かを判断する。このとき、記憶部１４は、運転モードが変更された日時を記憶している。また、通信部１１は、空気調和機２から空気調和機２の電源がオンになったことを示す情報（第３情報）を受信する。性能算出部１３は、前回に運転モードが変更された時点から第３情報を受信した時点までの経過時間が所定期間を超えているか否かを判断する。性能算出部１３は、前回の運転モードの変更から例えば１年経過したか否かを判断する。
【０１５２】
なお、運転モードを変更したことがない場合、すなわち、最初に運転モードを変更する際は、例えば、図７に示すようにメニュー画像１６０を表示して運転モードの変更を受け付けてもよいし、図１６に示すように性能が劣化しているか否かを判断して運転モードの変更を受け付けてもよい。また、最初に運転モードを変更する際は、空気調和機の運転を開始してから所定時間経過したか否かを判断してもよい。
【０１５３】
ここで、前回の運転モードの変更から所定時間経過していないと判断された場合（ステップＳ３０１でＮＯ）、制御パラメータ変更処理を終了する。
【０１５４】
一方、前回の運転モードの変更から所定時間経過していると判断された場合（ステップＳ３０１でＹＥＳ）、ステップＳ３０２において、通信部１１は、前回の運転モードの変更から所定時間経過していることを通知するための時間経過通知を端末装置５へ送信する。
【０１５５】
次に、ステップＳ３０３において、端末装置５の通信部５１は、制御パラメータ変更支援装置１によって送信された時間経過通知を受信する。
【０１５６】
次にステップＳ３０４において、制御部５２は、前回の運転モードの変更から所定時間経過していることを通知するとともに運転モードを変更するか否かを受け付けるための時間経過通知画像を表示部５４に表示する。このように、制御パラメータ変更支援装置１は、経過時間が所定期間を超えていると判断した場合に、時間経過通知画像（第１画像）を端末装置５に表示させる。
【０１５７】
図２１は、時間経過通知画像の一例を示す図である。図２１に示すように、時間経過通知画像１８０には、前回の運転モードの変更から所定時間経過していることを通知するための文章が表示される。また、時間経過通知画像１８０は、運転モードを変更するための運転モード変更ボタン１８１と、運転モードの変更をキャンセルするためのキャンセルボタン１８２とを有している。制御部５２は、空気調和機２の運転モードを変更するか否かを選択可能な運転モード変更ボタン１８１（第１インターフェース）を含んだ時間経過通知画像１８０（第１画像）を表示させる。
【０１５８】
次に、ステップＳ３０５において、制御部５２は、運転モード変更ボタン１８１が押下されたか否かを判断する。ここで、運転モード変更ボタン１８１が押下されていないと判断された場合、すなわち、キャンセルボタン１８２が押下された場合（ステップＳ３０５でＮＯ）、制御パラメータ変更処理を終了する。
【０１５９】
一方、運転モード変更ボタン１８１が押下されたと判断された場合（ステップＳ３０５でＹＥＳ）、ステップＳ３０６において、通信部５１は、運転モードの変更を要求するための運転モード変更要求を制御パラメータ変更支援装置１へ送信する。
【０１６０】
次に、ステップＳ３０７において、制御パラメータ変更支援装置１の通信部１１は、端末装置５によって送信された運転モード変更要求を受信する。
【０１６１】
なお、ステップＳ３０８〜ステップＳ３２５の処理は、図７に示すステップＳ１０５〜ステップＳ１２２の処理と同じであるので、説明を省略する。
【０１６２】
（第３の変形例）
本実施の形態１では、図１３及び図１４に示すように、運転モード選択画像は、棒状であるが本開示は特にこれに限定されず、運転モード選択画像は、円弧状であってもよい。
【０１６３】
図２２は、本実施の形態１の第３の変形例において、購入当初に表示される運転モード選択画像の一例を示す図であり、図２３は、本実施の形態１の第３の変形例において、劣化後に表示される運転モード選択画像の一例を示す図である。
【０１６４】
図２２に示すように表示部５４の画面１３０には、運転モード選択画像１３１が表示される。運転モード選択画像１３１は、第１の運転モードが選択される位置を一端とし、第２の運転モードが選択される位置を他端とする円弧状である。運転モード選択画像１３１の一端が、空気調和機２の冷房能力を強化させることを優先する第１の運転モードに対応し、運転モード選択画像１３１の他端が、空気調和機２の消費電力を抑えることを優先する第２の運転モードに対応している。ユーザは、運転モード選択画像１３１上に表示された調節つまみ画像１３２を水平方向へ移動させることにより、所望の運転モードを選択する。
【０１６５】
また、図２３に示すように、運転モード選択画像１３３は、（ｉ）空気調和機２の購入時点の第１の運転モードに対する強弱程度の範囲を示す第１選択範囲１３４１と、（ｉｉ）第１選択範囲１３４１に含まれた、空気調和機２の現在の第１の運転モードに対する強弱程度の範囲を示す第２選択範囲１３５１と、（ｉｉｉ）空気調和機２の購入時点の第２の運転モードに対する強弱程度の範囲を示す第３選択範囲１３４２と、（ｉｖ）第３選択範囲１３４２に含まれた、空気調和機２の現在の第２の運転モードに対する強弱程度の範囲を示す第４選択範囲１３５２とを示す。
【０１６６】
第１選択範囲１３４１の大きさと第２選択範囲１３５１の大きさとの関係は、空気調和機２の購入時から現在までの空気調和機２の性能の劣化に対応する。第３選択範囲１３４２の大きさと第４選択範囲１３５２の大きさとの関係は、空気調和機２の購入時から現在までの空気調和機２の性能の劣化に対応する。運転モード選択画像１３３は、第２選択範囲１３５１上及び第４選択範囲１３５２上のいずれか一点を選択可能な調節つまみ画像１３２（第２インターフェース）を含む。
【０１６７】
運転モード選択画像１３３は、円弧状である。運転モード選択画像１３３の一端１３６２と他端１３６３との間の第１基準点１３６１から一端１３６２までは第１選択範囲１３４１に対応し、第１基準点１３６１から他端１３６３までは第３選択範囲１３４２に対応し、第１基準点１３６１から第１選択範囲１３４１内の第２基準点１３６４までは第２選択範囲１３５１に対応し、第１基準点１３６１から第３選択範囲１３４２内の第３基準点１３６５までは第４選択範囲１３５２に対応する。
【０１６８】
調節つまみ画像１３２（第２インターフェース）は、第２基準点１３６４から第３基準点１３６５までの間をユーザによってスライド可能である。
【０１６９】
なお、運転モード選択画像１３３は、現在の運転モードに変更される前の運転モード及び現在の運転モードに変更される前の運転モードに対する強弱程度を示すマーク１３７を含んでもよい。
【０１７０】
（第４の変形例）
本実施の形態１では、図１３及び図１４に示すように、運転モード選択画像は、棒状であるが本開示は特にこれに限定されず、運転モード選択画像は、０を中心に左右対称に並べられた複数の数字を含んでもよい。
【０１７１】
図２４は、本実施の形態１の第４の変形例において、購入当初に表示される運転モード選択画像の一例を示す図であり、図２５は、本実施の形態１の第４の変形例において、劣化後に表示される運転モード選択画像の一例を示す図である。
【０１７２】
図２４に示すように表示部５４の画面１４０には、運転モード選択画像１４１が表示される。運転モード選択画像１４１は、０を中心に左右対称に並べられた複数の数字を含む。運転モード選択画像１４１は、第１の運転モードが選択される位置を左端の数字とし、第２の運転モードが選択される位置を右端の数字とする。運転モード選択画像１４１の０よりも左側の数字が、空気調和機２の冷房能力を強化させることを優先する第１の運転モードに対応し、運転モード選択画像１４１の０よりも右側の数字が、空気調和機２の消費電力を抑えることを優先する第２の運転モードに対応している。ユーザは、運転モード選択画像１４１上に表示された数字を選択することにより、所望の運転モードを選択する。ユーザにより選択された数字１４２は、他の数字よりも太く表示される。
【０１７３】
また、図２５に示すように、運転モード選択画像１４３は、（ｉ）空気調和機２の購入時点の第１の運転モードに対する強弱程度の範囲を示す第１選択範囲１４４１と、（ｉｉ）第１選択範囲１４４１に含まれた、空気調和機２の現在の第１の運転モードに対する強弱程度の範囲を示す第２選択範囲１４５１と、（ｉｉｉ）空気調和機２の購入時点の第２の運転モードに対する強弱程度の範囲を示す第３選択範囲１４４２と、（ｉｖ）第３選択範囲１４４２に含まれた、空気調和機２の現在の第２の運転モードに対する強弱程度の範囲を示す第４選択範囲１４５２とを示す。
【０１７４】
第１選択範囲１４４１の大きさと第２選択範囲１４５１の大きさとの関係は、空気調和機２の購入時から現在までの空気調和機２の性能の劣化に対応する。第３選択範囲１４４２の大きさと第４選択範囲１４５２の大きさとの関係は、空気調和機２の購入時から現在までの空気調和機２の性能の劣化に対応する。運転モード選択画像１４３は、第２選択範囲１４５１上及び第４選択範囲１４５２上のいずれかの数字を選択可能なタッチパネル（第２インターフェース）を含む。ユーザにより選択された数字１４２は、他の数字よりも太く表示される。
【０１７５】
運転モード選択画像１４３は、０を中心に左右対称に並べられた複数の数字を含む。複数の数字のうち、０から左端までの数字は順に１ずつ増加し、０から右端までの数字は順に１ずつ増加する。図２５では、例えば、左端の数字は５であり、右端の数字は５である。０から左端１４６２までの数字は第１選択範囲１４４１に対応し、左端１４６２より０側に並べられた第１数字１４６４から０までの数字は第２選択範囲１４５１に対応し、０から右端１４６３までの数字は第３選択範囲１４４２に対応し、右端１４６３より０側に並べられた第２数字１４６５から０までの数字は第４選択範囲１４５２に対応する。
【０１７６】
タッチパネル（第２インターフェース）は、第１数字１４６４から第２数字１４６５までの間の数字をユーザによって選択可能である。
【０１７７】
なお、運転モード選択画像１４３は、現在の運転モードに変更される前の運転モード及び現在の運転モードに変更される前の運転モードに対する強弱程度を示すマーク１４７を含んでもよい。
【０１７８】
（第５の変形例）
本実施の形態１では、図１３及び図１４に示すように、運転モード選択画像は、棒状であるが本開示は特にこれに限定されず、運転モード選択画像は、第１の運転モードに対する強弱程度の範囲を示す第１の運転モード選択画像と、第２の運転モードに対する強弱程度の範囲を示す第２の運転モード選択画像とを含んでもよい。
【０１７９】
図２６は、本実施の形態１の第５の変形例において、購入当初に表示される運転モード選択画像の一例を示す図であり、図２７は、本実施の形態１の第５の変形例において、劣化後に表示される運転モード選択画像の一例を示す図である。
【０１８０】
図２６に示すように表示部５４の画面１５０には、第１の運転モード選択画像１５１ａ及び第２の運転モード選択画像１５１ｂが表示される。第１の運転モード選択画像１５１ａは、第１の運転モードが選択される範囲を示し、第２の運転モード選択画像１５１ｂは、第２の運転モードが選択される範囲を示す。第１の運転モード選択画像１５１ａが、空気調和機２の冷房能力を強化させることを優先する第１の運転モードに対応し、第２の運転モード選択画像１５１ｂが、空気調和機２の消費電力を抑えることを優先する第２の運転モードに対応している。
【０１８１】
ユーザは、第１の運転モード選択画像１５１ａ上に表示された第１の調節つまみ画像１５２ａ又は第２の運転モード選択画像１５１ｂ上に表示された第２の調節つまみ画像１５２ｂを水平方向へ移動させることにより、所望の運転モードを選択する。第１の調節つまみ画像１５２ａが第１の運転モード選択画像１５１ａの右端に向かって移動されることにより、冷房能力が優先される。また、第２の調節つまみ画像１５２ｂが第２の運転モード選択画像１５１ｂの右端に向かって移動されることにより、消費電力性能が優先される。
【０１８２】
第１の調節つまみ画像１５２ａ及び第２の調節つまみ画像１５２ｂは、互いに連動して移動する。すなわち、第１の調節つまみ画像１５２ａ及び第２の調節つまみ画像１５２ｂのうちのいずれか一方の画像のみを移動させると、一方の画像の移動に応じて他方の画像も移動する。第１の調節つまみ画像１５２ａが、第１の運転モード選択画像１５１ａ上を右に向かって移動する場合、第２の調節つまみ画像１５２ｂは、第２の運転モード選択画像１５１ｂ上を左に向かって移動する。第１の調節つまみ画像１５２ａが、第１の運転モード選択画像１５１ａ上を左に向かって移動する場合、第２の調節つまみ画像１５２ｂは、第２の運転モード選択画像１５１ｂ上を右に向かって移動する。
【０１８３】
また、図２７に示すように、第１の運転モード選択画像１５３ａは、空気調和機２の購入時点の第１の運転モードに対する強弱程度の範囲を示す第１選択範囲１５４ａと、第１選択範囲１５４ａに含まれた、空気調和機２の現在の第１の運転モードに対する強弱程度の範囲を示す第２選択範囲１５５ａとを示す。また、第２の運転モード選択画像１５３ｂは、空気調和機２の購入時点の第２の運転モードに対する強弱程度の範囲を示す第３選択範囲１５４ｂと、第３選択範囲１５４ｂに含まれた、空気調和機２の現在の第２の運転モードに対する強弱程度の範囲を示す第４選択範囲１５５ｂとを示す。
【０１８４】
第１選択範囲１５４ａの大きさと第２選択範囲１５５ａの大きさとの関係は、空気調和機２の購入時から現在までの空気調和機２の性能の劣化に対応する。第３選択範囲１５４ｂの大きさと第４選択範囲１５５ｂの大きさとの関係は、空気調和機２の購入時から現在までの空気調和機２の性能の劣化に対応する。第１の運転モード選択画像１５３ａは、第２選択範囲１５５ａ上のいずれか一点を選択可能な調節つまみ画像１５２ａ（第２インターフェース）を含む。第２の運転モード選択画像１５３ｂは、第４選択範囲１５５ｂ上のいずれか一点を選択可能な調節つまみ画像１５２ｂ（第２インターフェース）を含む。
【０１８５】
第１の運転モード選択画像１５３ａ及び第２の運転モード選択画像１５３ｂは、三角形状である。第１の運転モード選択画像１５３ａの一端１５６２から他端１５６３までは第１選択範囲１５４ａに対応し、第１選択範囲１５４ａ内の第１基準点１５６４から第２基準点１５６５までは第２選択範囲１５５ａに対応する。第２の運転モード選択画像１５３ｂの一端１５７２から他端１５７３までは第３選択範囲１５４ｂに対応し、第３選択範囲１５４ｂ内の第３基準点１５７４から第４基準点１５７５までは第４選択範囲１５５ｂに対応する。
【０１８６】
第１の調節つまみ画像１５２ａ（第２インターフェース）は、第１基準点１５６４から第２基準点１５６５までの間をユーザによってスライド可能である。第２の調節つまみ画像１５２ｂ（第２インターフェース）は、第３基準点１５７４から第４基準点１５７５までの間をユーザによってスライド可能である。
【０１８７】
なお、第１の運転モード選択画像１５３ａは、現在の運転モードに変更される前の運転モード及び現在の運転モードに変更される前の運転モードに対する強弱程度を示すマーク１５７ａを含んでもよい。第２の運転モード選択画像１５３ｂは、現在の運転モードに変更される前の運転モード及び現在の運転モードに変更される前の運転モードに対する強弱程度を示すマーク１５７ｂを含んでもよい。
【０１８８】
また、本実施の形態１の第５の変形例では、第１の運転モード選択画像１５３ａの第１基準点１５６４から第２基準点１５６５までを第２選択範囲１５５ａとしているが、本開示は特にこれに限定されず、第１の運転モード選択画像１５３ａの一端１５６２から第２基準点１５６５までを第２選択範囲１５５ａとしてもよい。
【０１８９】
同様に、本実施の形態１の第５の変形例では、第２の運転モード選択画像１５３ｂの第３基準点１５７４から第４基準点１５７５までを第４選択範囲１５５ｂとしているが、本開示は特にこれに限定されず、第２の運転モード選択画像１５３ｂの一端１５７２から第４基準点１５７５までを第４選択範囲１５５ｂとしてもよい。
【０１９０】
（実施の形態２）
上記の実施の形態１では、性能の範囲を算出する際に、別の制御パラメータを用いて運転した他の空気調和機の別の性能を取得している。これに対し、実施の形態２では、他の空気調和機の別の性能を取得するのではなく、空気調和機を別の制御パラメータを用いて試運転することにより別の性能を取得する。
【０１９１】
図２８は、本開示の実施の形態２における制御パラメータ変更支援装置の構成を示す図である。なお、実施の形態２における運転制御システムの構成は、図１に示す実施の形態１における運転制御システムの構成と同じであるので説明を省略する。また、実施の形態２における空気調和機及び端末装置の構成は、図３及び図４に示す実施の形態１における空気調和機２及び端末装置５の構成と同じであるので説明を省略する。
【０１９２】
図２８に示す制御パラメータ変更支援装置１’は、通信部１１、データ収集部１２、性能算出部１３、記憶部１４、性能範囲算出部１５１、運転モード範囲決定部１６及び制御パラメータ決定部１７を備える。なお、実施の形態２における性能範囲算出部１５１以外の構成は、図２に示す実施の形態１における制御パラメータ変更支援装置１の構成と同じであるので説明を省略する。
【０１９３】
性能範囲算出部１５１は、制御パラメータの変更可能な範囲内で変動する空気調和機２の劣化後の性能の範囲を算出する。
【０１９４】
性能範囲算出部１５１は、所定期間の性能の平均を現在の性能として算出する。データ収集部１２は、制御パラメータのうちの第１の制御パラメータで空気調和機２を運転した場合における空気調和機２の第１の動作状態を取得する。性能算出部１３は、取得した第１の動作状態に基づいて空気調和機２の性能を算出し、記憶部１４に記憶する。性能範囲算出部１５１は、第１の制御パラメータで空気調和機２を運転した場合に得られる所定期間の性能の平均を現在の性能を表す第１の性能として算出する。
【０１９５】
性能範囲算出部１５１は、第１の制御パラメータとは異なる第２の制御パラメータで空気調和機２を試運転するための試運転指示を、通信部１１を介して空気調和機２へ送信する。データ収集部１２は、第２の制御パラメータで空気調和機２を運転した場合における空気調和機２の第２の動作状態を取得する。性能算出部１３は、取得した第２の動作状態に基づいて空気調和機２の性能を算出し、記憶部１４に記憶する。性能範囲算出部１５１は、第２の制御パラメータで空気調和機２を運転した場合に得られる所定期間の性能の平均を試運転時における性能を表す第２の性能として算出する。
【０１９６】
性能範囲算出部１５１は、算出された第２の性能と、算出された第１の性能とを結ぶ直線に基づいて性能の範囲を算出する。
【０１９７】
続いて、実施の形態２において制御パラメータを変更する制御パラメータ変更処理について説明する。
【０１９８】
図２９は、本開示の実施の形態２における制御パラメータ変更処理について説明するためのフローチャートである。
【０１９９】
ステップＳ４０１〜ステップＳ４０４の処理は、図７に示すステップＳ１０１〜ステップＳ１０４の処理と同じであるので、説明を省略する。
【０２００】
次に、ステップＳ４０５において、制御パラメータ変更支援装置１’の性能範囲算出部１５１は、制御パラメータの変更可能な範囲内で変動する空気調和機２の劣化後の性能の範囲を算出する性能範囲算出処理を行う。なお、性能範囲算出処理については、図３０を用いて説明する。
【０２０１】
図３０は、図２９のステップＳ４０５における性能範囲算出処理について説明するためのフローチャートである。
【０２０２】
まず、ステップＳ６１において、性能範囲算出部１５１は、所定期間の性能の平均を現在の性能として算出する。すなわち、性能範囲算出部１５１は、現在時刻から過去数時間に算出された性能の平均を算出し、算出した性能の平均を現在の性能として算出する。
【０２０３】
次に、ステップＳ６２において、性能範囲算出部１５１は、現在の制御パラメータとは異なる別の制御パラメータで空気調和機２を試運転するための試運転指示を、通信部１１を介して空気調和機２へ送信する。なお、別の制御パラメータとは、現在の制御パラメータとは識別番号が異なる制御パラメータである。現在の制御パラメータの識別番号が例えば“４”であれば、別の制御パラメータの識別番号は例えば“１４”となる。
【０２０４】
空気調和機２の第１の通信部２１４は、試運転指示を受信する。運転制御部２１２は、試運転指示に応じて、別の制御パラメータで空気調和機２の試運転を行う。そして、第１の通信部２１４は、空気調和機２の各種センサで取得されたセンサデータを含む動作状態を制御パラメータ変更支援装置１’へ送信する。制御パラメータ変更支援装置１’のデータ収集部１２は、空気調和機２から、空気調和機２の動作状態と制御パラメータとを取得する。性能算出部１３は、データ収集部１２によって取得された動作状態に基づいて空気調和機２の性能を算出する。性能算出部１３は、データ収集部１２によって取得された動作状態及び制御パラメータと、性能算出部１３によって算出された性能とを記憶部１４に記憶する。
【０２０５】
次に、ステップＳ６３において、性能範囲算出部１５１は、試運転後の所定期間の性能の平均を別の性能として算出する。すなわち、性能範囲算出部１５１は、試運転が開始されてから現在時刻までの間の所定期間に算出された性能の平均を算出し、算出した性能の平均を別の性能として算出する。
【０２０６】
次に、ステップＳ６４において、性能範囲算出部１５１は、現在の制御パラメータと現在の性能との第１の組合せと、別の制御パラメータと別の性能との第２の組合せとに基づいて性能の範囲を算出する。第１の組合せと第２の組合せとに基づいて性能の範囲を算出する方法については、実施の形態１における算出方法と同じであるので説明を省略する。
【０２０７】
図２９に戻り、次に、ステップＳ４０６において、運転モード範囲決定部１６は、性能範囲算出部１５によって算出された性能の範囲を、運転モードの劣化後選択範囲に変換する。
【０２０８】
なお、ステップＳ４０６〜ステップＳ４２０の処理は、図７に示すステップＳ１０６〜ステップＳ１２０の処理と同じであるので、説明を省略する。実施の形態２では、他の空気調和機から別の制御パラメータと別の性能との組合せを取得する必要がない。そのため、実施の形態２の制御パラメータ変更支援装置１’は、図７のステップＳ１２１及びステップＳ１２２の処理が不要であり、運転モードを変更した後の性能を算出する必要がなく、変更前後の制御パラメータ及び性能を記憶する必要がない。
【０２０９】
なお、空気調和機２の試運転を行う場合、空気調和機２の現在の運転を中断する必要がある。そのため、試運転指示を空気調和機２へ送信する前に、制御パラメータ変更支援装置１’は、試運転を開始するか否かを確認するための試運転確認画像を端末装置５へ送信してもよい。
【０２１０】
図３１は、端末装置に表示される試運転確認画像の一例を示す図である。
【０２１１】
試運転指示を空気調和機２へ送信する前に、通信部１１は、試運転を開始するか否かを確認するための試運転確認画像１２０を端末装置５へ送信する。端末装置５の通信部５１は、制御パラメータ変更支援装置１’によって送信された試運転確認画像１２０を受信する。表示部５４は、通信部５１によって受信された試運転確認画像１２０を表示する。
【０２１２】
図３１に示すように、試運転確認画像１２０は、試運転を許可するボタン１２１と、試運転を許可しないボタン１２２とを含む。入力部５５は、試運転を許可するか否かのユーザによる選択を受け付ける。そして、入力部５５によって試運転を許可するか否かのユーザによる選択が受け付けられた場合、通信部５１は、試運転を許可するか否かを示す情報を制御パラメータ変更支援装置１’へ送信する。制御パラメータ変更支援装置１’の通信部１１は、試運転を許可するか否かを示す情報を受信する。ここで、試運転を許可する情報を受信した場合、性能範囲算出部１５１は、試運転指示を、通信部１１を介して空気調和機２へ送信する。一方、試運転を許可しない情報を受信した場合、性能範囲算出部１５１は、性能範囲算出処理を終了するとともに、制御パラメータ変更処理も終了する。
【０２１３】
（第１の変形例）
本実施の形態２では、メニュー画像１６０に表示された運転モード変更ボタン１６１が押下されたことをトリガーにして、制御パラメータを変更する処理が行われるが、本開示は特にこれに限定されず、空気調和機の性能が所定値より劣化したことをトリガーにして、制御パラメータを変更する処理が行われてもよい。
【０２１４】
図３２は、本実施の形態２の第１の変形例における制御パラメータ変更処理について説明するためのフローチャートである。
【０２１５】
ステップＳ５０１〜ステップＳ５０７の処理は、図１６に示すステップＳ２０１〜ステップＳ２０７の処理と同じであるので、説明を省略する。また、ステップＳ５０８〜ステップＳ５２３の処理は、図２９に示すステップＳ４０５〜ステップＳ４２０の処理と同じであるので、説明を省略する。
【０２１６】
（第２の変形例）
本実施の形態２では、メニュー画像１６０に表示された運転モード変更ボタン１６１が押下されたことをトリガーにして、制御パラメータを変更する処理が行われるが、本開示は特にこれに限定されず、前回の運転モードの変更から所定時間経過したことをトリガーにして、制御パラメータを変更する処理が行われてもよい。
【０２１７】
図３３は、本実施の形態２の第２の変形例における制御パラメータ変更処理について説明するためのフローチャートである。
【０２１８】
ステップＳ６０１〜ステップＳ６０７の処理は、図１９に示すステップＳ３０１〜ステップＳ３０７の処理と同じであるので、説明を省略する。また、ステップＳ６０８〜ステップＳ６２３の処理は、図２９に示すステップＳ４０５〜ステップＳ４２０の処理と同じであるので、説明を省略する。
【０２１９】
なお、実施の形態１と実施の形態２とを組み合わせてもよい。すなわち、実施の形態１の性能範囲算出処理において、他の空気調和機の別の制御パラメータと別の性能との組合せを取得できなかった場合に、試運転を行って別の制御パラメータと別の性能との組合せを取得する実施の形態２の性能範囲算出処理を行ってもよい。
【０２２０】
本開示において、ユニット、装置、部材又は部の全部又は一部、又はブロック図の機能ブロックの全部又は一部は、半導体装置、半導体集積回路（ＩＣ）、又はＬＳＩ（Ｌａｒｇｅ  Ｓｃａｌｅ  Ｉｎｔｅｇｒａｔｉｏｎ）を含む一つ又は複数の電子回路によって実行されてもよい。ＬＳＩ又はＩＣは、一つのチップに集積されてもよいし、複数のチップを組み合わせて構成されてもよい。例えば、記憶素子以外の機能ブロックは、一つのチップに集積されてもよい。ここでは、ＬＳＩやＩＣと呼んでいるが、集積の度合いによって呼び方が変わり、システムＬＳＩ、ＶＬＳＩ（Ｖｅｒｙ  Ｌａｒｇｅ  Ｓｃａｌｅ  Ｉｎｔｅｇｒａｔｉｏｎ）、若しくはＵＬＳＩ（Ｕｌｔｒａ  Ｌａｒｇｅ  Ｓｃａｌｅ  Ｉｎｔｅｇｒａｔｉｏｎ）と呼ばれるものであってもよい。ＬＳＩの製造後にプログラムされる、Ｆｉｅｌｄ  Ｐｒｏｇｒａｍｍａｂｌｅ  Ｇａｔｅ  Ａｒｒａｙ（ＦＰＧＡ）、又はＬＳＩ内部の接合関係の再構成又はＬＳＩ内部の回路区画のセットアップができるＲｅｃｏｎｆｉｇｕｒａｂｌｅ  Ｌｏｇｉｃ  Ｄｅｖｉｃｅも同じ目的で使うことができる。
【０２２１】
さらに、ユニット、装置、部材又は部の全部又は一部の機能又は操作は、ソフトウエア処理によって実行することが可能である。この場合、ソフトウエアは一つ又は複数のＲＯＭ、光学ディスク、ハードディスクドライブなどの非一時的記録媒体に記録され、ソフトウエアが処理装置（Ｐｒｏｃｅｓｓｏｒ）によって実行されたときに、そのソフトウエアで特定された機能が処理装置（Ｐｒｏｃｅｓｓｏｒ）および周辺装置によって実行される。システム又は装置は、ソフトウエアが記録されている一つ又は複数の非一時的記録媒体、処理装置（Ｐｒｏｃｅｓｓｏｒ）、及び必要とされるハードウエアデバイス、例えばインターフェース、を備えていてもよい。
【産業上の利用可能性】
【０２２２】
本開示に係る空気調和機の制御方法、端末装置及び運転制御システムは、空気調和機の劣化後の性能に応じて選択可能な運転モードの範囲をユーザに提示することができるとともに、劣化後の運転モードの選択範囲内で空気調和機を運転することができ、空気調和機の制御方法、端末装置及び運転制御システムに有用である。
【符号の説明】
【０２２３】
１    制御パラメータ変更支援装置
２    空気調和機
３    リモートコントローラ
４    アダプタ
５    端末装置
６    ネットワーク
１１    通信部
１２    データ収集部
１３    性能算出部
１４    記憶部
１５    性能範囲算出部
１６    運転モード範囲決定部
１７    制御パラメータ決定部
２１    室内機
２２    室外機
５１    通信部
５２    制御部
５３    メモリ
５４    表示部
５５    入力部
１５１    性能範囲算出部
２１１    操作指示受信部
２１２    運転制御部
２１３    メモリ
２１４    第１の通信部
２１５    温度センサ
２１６    室内ファンモータ
２１７    第２の通信部
２２１    第３の通信部
２２２    温度センサ
２２３    圧縮機
２２４    室外ファンモータ
２１６１    回転数測定部
２２３１    回転数測定部
２２４１    回転数測定部
【図１】
0006697764.tif 000002
【図２】
0006697764.tif 000003
【図３】
0006697764.tif 000004
【図４】
0006697764.tif 000005
【図５】
0006697764.tif 000006
【図６】
0006697764.tif 000007
【図７】
0006697764.tif 000008
【図８】
0006697764.tif 000009
【図９】
0006697764.tif 000010
【図１０】
0006697764.tif 000011
【図１１】
0006697764.tif 000012
【図１２】
0006697764.tif 000013
【図１３】
0006697764.tif 000014
【図１４】
0006697764.tif 000015
【図１５】
0006697764.tif 000016
【図１６】
0006697764.tif 000017
【図１７】
0006697764.tif 000018
【図１８】
0006697764.tif 000019
【図１９】
0006697764.tif 000020
【図２０】
0006697764.tif 000021
【図２１】
0006697764.tif 000022
【図２２】
0006697764.tif 000023
【図２３】
0006697764.tif 000024
【図２４】
0006697764.tif 000025
【図２５】
0006697764.tif 000026
【図２６】
0006697764.tif 000027
【図２７】
0006697764.tif 000028
【図２８】
0006697764.tif 000029
【図２９】
0006697764.tif 000030
【図３０】
0006697764.tif 000031
【図３１】
0006697764.tif 000032
【図３２】
0006697764.tif 000033
【図３３】
0006697764.tif 000034